(57)【要約】  本発明は、送信モジュールに相互接続されるマルチメディアソースを有するマルチメディアコネクタボックスと、マルチメディアシンクに相互接続される受信モジュールを有するマルチメディアデバイスとを有し、送信モジュールと受信モジュールとがマルチメディアインタフェース手段を介しやりとりするマルチメディアシステムにおける電力状態の制御方法に関する。信号検出手段は、電源の現在の電力状態を決定するため、マルチメディアシステムの各電源の間の信号動作を検出し、電力スイッチ機構は、送信及び受信モジュールの電力状態を電源の電力状態に調整する。
2009506615.tif 000002
【特許請求の範囲】
【請求項１】
マルチメディアシステムにおいて電力状態を検出及び制御する方法であって、
前記システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、当該方法は、
前記コネクタボックスにおいて、
前記マルチメディアソースの電力状態を決定するステップと、
前記送信モジュールの電力状態を前記マルチメディアソースについて決定されたものと同一の電力状態にスイッチするステップと、
前記マルチメディアソースの現在の電力状態を示す情報を前記受信モジュールに提供するステップと、
前記マルチメディアデバイスにおいて、
前記受信モジュールの電力状態を前記マルチメディアソースについて決定されたものと同一の電力状態にスイッチするステップと、
を有する方法。
【請求項２】
前記マルチメディアデバイスにおいて、
前記マルチメディアシンクの電力状態を決定するステップと、
前記受信モジュールの電力状態を前記マルチメディアシンクについて決定されたものと同一の電力状態にスイッチするステップと、
前記マルチメディアシンクの現在の電力状態を示す情報を前記送信モジュールに提供するステップと、
前記コネクタボックスにおいて、
前記送信モジュールの電力状態を前記マルチメディアシンクについて決定されたものと同一の電力状態にスイッチするステップと、
をさらに有する、請求項１記載の方法。
【請求項３】
前記マルチメディアソースの現在の電力状態を示す情報を前記受信モジュールに提供するステップは、前記マルチメディアソースの現在の電力状態を示すデータを前記受信モジュールに送信する、請求項１記載の方法。
【請求項４】
前記マルチメディアソースの現在の電力状態を示す情報を前記受信モジュールに提供するステップは、前記送信モジュール又は前記マルチメディアソースにおける信号動作に基づき、
前記受信モジュールは、前記信号動作を自動検出し、前記信号動作に基づき前記送信モジュールの現在の電力状態を決定するよう構成される、請求項１記載の方法。
【請求項５】
前記マルチメディアシンクの現在の電力状態を示す情報を前記送信モジュールに提供するステップは、前記マルチメディアシンクの現在の電力状態を示すデータを前記送信モジュールに送信する、請求項２記載の方法。
【請求項６】
前記マルチメディアシンクの現在の電力状態を示す情報を前記送信モジュールに提供するステップは、前記受信モジュール又は前記マルチメディアシンクにおける信号動作に基づき、
前記送信モジュールは、前記信号動作を自動検出し、前記信号動作に基づき前記受信モジュールの現在の電力状態を決定するよう構成される、請求項２記載の方法。
【請求項７】
前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する、請求項１記載の方法。
【請求項８】
前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する、請求項２記載の方法。
【請求項９】
前記送信モジュールと前記マルチメディアソースとの電力状態を決定するステップは、前記送信モジュールと前記受信モジュールとの間の信号動作を検出する、請求項１記載の方法。
【請求項１０】
前記受信モジュールと前記マルチメディアシンクとの電力状態を決定するステップは、前記受信モジュールと前記送信モジュールとの間の信号動作を検出する、請求項６記載の方法。
【請求項１１】
前記検出された信号動作が所定の期間において動作が検出されなかったことを示す場合、電源の電力状態はスタンバイ状態又はオフ状態であると決定され、そうでない場合、前記電源の電力状態はオン状態であると決定される、請求項１０記載の方法。
【請求項１２】
請求項１記載の方法の各ステップを処理ユニットが実行することを可能にする命令を格納するコンピュータ可読媒体。
【請求項１３】
送信モジュールに相互接続されるマルチメディアソースを有するマルチメディアコネクタボックスと、マルチメディアシンクに相互接続される受信モジュールを有するマルチメディアデバイスとを有するマルチメディアシステムの電力制御を実現するよう構成される通信プロトコルであって、
前記送信モジュールと前記受信モジュールとは、マルチメディアインタフェース手段を介しやりとりし、
前記マルチメディアソースの現在の電力状態を示す情報が前記受信モジュールに提供され、又は、前記マルチメディアシンクの現在の電力状態を示す情報が前記送信モジュールに提供され、
前記情報は、前記システムの電力モードを調整するのに使用される通信プロトコル。
【請求項１４】
前記情報は、光又は無線媒体を介し＋５Ｖ信号の状態とＨＰＤ信号の状態とを送信することによって提供される、請求項１３記載の通信プロトコル。
【請求項１５】
マルチメディアシステムにおいて電力状態を検出及び制御するよう構成されるシステムであって、
当該システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、当該システムは、
前記コネクタボックスにおいて、
前記マルチメディアソースの電力状態を決定するよう構成される電力検出手段と、
前記送信モジュールの電力状態を前記マルチメディアソースについて決定されたものと同一の電力状態にスイッチするよう構成されるスイッチ機構と、
を有し、前記マルチメディアソースの現在の電力状態を示す情報は、前記受信モジュールに提供され、
前記マルチメディアデバイスにおいて、
前記受信モジュールの電力状態を前記マルチメディアソースについて決定されたものと同一の電力状態にスイッチするよう構成されるスイッチ機構と、
を有するシステム。
【請求項１６】
前記マルチメディアデバイスにおいて、前記マルチメディアシンクの電力状態を決定するよう構成される電力検出手段をさらに有し、
前記スイッチ機構は、前記受信モジュールの電力状態を前記マルチメディアシンクについて決定されたものと同一の電力状態にスイッチするよう構成され、
前記マルチメディアシンクの現在の電力状態を示す情報が、前記送信モジュールに提供される、請求項１５記載のシステム。
【請求項１７】
前記マルチメディアインタフェース手段は、ＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）又はデジタル未圧縮ビデオオーディオインタフェース手段を有する、請求項１５記載のシステム。
【請求項１８】
前記送信モジュールと前記受信モジュールとは、光学的又は無線により接続される、請求項１５記載のシステム。
【請求項１９】
コネクタボックス及びディスプレイに実装され、前記マルチメディアインタフェース手段並びに前記送信モジュール及び前記受信モジュールから独立したスタンバイ機構をさらに有し、
前記コネクタボックス又は前記ディスプレイは、マスタとしての役割を担い、
前記マスタは、所定の通信プロトコルを介し所定のハンドシェイク機構を利用することによって、スレーブをスタンバイ状態にする、請求項１５記載のシステム。
【請求項２０】
前記コネクタボックスは、マスタとして機能し、
前記マルチメディアデバイスは、スレーブとして機能する、請求項１５記載のシステム。
【請求項２１】
スタンバイモードに移行し戻るため、ハンドシェイクが利用される、請求項１５記載のシステム。
【請求項２２】
マルチメディアシステムにおいて電力状態を制御するため、前記マルチメディアシステムに実装されるよう構成される機構であって、
前記システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、
当該機構は、
前記マルチメディアソース又はシンクの電力状態を検出するよう構成される電力検出手段と、
前記送信モジュール又は前記受信モジュールの電力状態を前記マルチメディアソース又はシンクについて検出されたものと同一の電力状態にスイッチするよう構成される電力スイッチ機構と、
を有する機構。
【請求項２３】
当該機構は、前記マルチメディアインタフェース手段を介し＋５Ｖ信号の状態とＨＰＤ（Ｈｏｔ−Ｐｌｕｇ−Ｄｅｔｅｃｔ）信号の状態とを送信するようさらに構成される、請求項２２記載の機構。
【請求項２４】
マルチメディアシステムにおいて電力状態を制御するため、前記マルチメディアシステムに実装されるよう構成される機構において実行される方法であって、
前記システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、
当該方法は、
前記マルチメディアソース又はシンクの電力状態を検出するステップと、
前記送信モジュール又は前記受信モジュールの電力状態を前記マルチメディアソース又はシンクについて検出されたものと同一の電力状態にスイッチするステップと、
を有する方法。
【発明の詳細な説明】
【技術分野】
【０００１】
本発明は、送信モジュールと相互接続されたマルチメディアソースを有するマルチメディアコネクタボックスと、マルチメディアシンクと相互接続された受信モジュールを有するマルチメディアデバイスとを有するマルチメディアシステムにおいて電力状態を監視及び制御する方法及びシステムであって、送信モジュールと受信モジュールとは、マルチメディアインタフェース手段を介しマルチメディアコネクタボックスとマルチメディアデバイスとインタフェースをとる方法及びシステムに関する。本発明はさらに、処理ユニットが本方法を実行することを可能にする命令を格納するコンピュータ可読媒体に関する。本発明はさらに、本システムの電力制御を実現するよう構成される通信プロトコルに関する。本発明はさらに、上記マルチメディアシステムの電力状態を制御するためマルチメディアシステムに実装されるよう構成された機構に関する。
【背景技術】
【０００２】
多くのマルチメディアシステムは、ＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）を利用してインタフェースをとっている。ＨＤＭＩは、セットトップボックス、ＤＶＤプレーヤー、Ａ／Ｖ受信機などの何れか互換性のあるデジタルオーディオ／ビデオソースと、デジタルテレビ（ＤＴＶ）などの互換性のあるデジタルオーディオ及び／又はビデオモニタとの間のインタフェースを提供する。多くの従来システムは、セットトップボックスやフラットテレビなどの上記装置を相互接続するためのＨＤＭＩケーブルを実装している。セットトップボックスに構成されるビデオ／オーディオデータ送信部はしばしばソースと呼ばれ、Ａ／Ｖ受信機（テレビなど）に構成されるこれらのデータの受信部はしばしばシンクと呼ばれる。ソースを介したシンクの制御又はシンクを介したソースの制御は、ＨＤＭＩ規格のオプションであるＣＥＣ（Ｃｏｎｓｕｍｅｒ  Ｅｌｅｃｔｒｏｎｉｃｓ  Ｃｏｎｔｒｏｌ）チャネルを介し実行される。
【０００３】
各個別デバイスの電力状態は、このような従来システムでは監視することができず、システム全体の電力状態しか監視できない。このため、電力状態は、＋５Ｖ及びＨＰＤ機構を利用して部分的にしか監視することができない。ＳＴＢ状態では、＋５Ｖ及びＨＰＤ信号は依然として通信されるため、ＯＮ状態とＳＴＢ状態との間の区別はされない。
【０００４】
ＨＤＭＩを介しインタフェースをとる送信モジュール（ＴＸ）と受信モジュール（ＲＸ）が、ソースとシンクとの間の接続を提供するための中間オブジェクトとして要求される上記マルチメディアシステムの新世代／次世代においては、電力は従来システムよりはるかに複雑なものとなる。例えば、ＴＸとＲＸとの間の接続が光リンク又は無線リンクに基づくものである場合、このリンクはＨＤＭＩケーブルにおいて利用可能であるようなすべての信号に対して透過なものでないかもしれないため、特別な措置がとられる必要がある。また、オーディオ／ビデオデータをソースからシンクに転送するためのフォワードリンクについて要求される帯域幅は、シンクからソースへのバックワードリンクについて要求される帯域幅よりはるかに大きいため、システムの電力動作はより複雑なものとなる。なぜなら、各モジュールがほとんどの場合に各自の電力状態を有しており、標準的なＨＤＭＩケーブルが使用される場合のように、完全に透過には他方のデバイスを観察できないかもしれないためである。これは、整合的な電力動作を実現するため、ＴＸモジュールとＲＸモジュールに対してある要求をすることとなる。また、ＲＣ受信に接続されるＣＥＣコマンドを介した電力状態制御は、何れの規格にも規定されていない。
【発明の開示】
【発明が解決しようとする課題】
【０００５】
本発明の課題は、このようなマルチメディアシステムにおける電力状態制御方法を提供することによって上述した問題を解決することである。
【０００６】
さらなる課題は、このようなマルチメディアシステムにおける電力状態制御機構及びシステムを提供することである。
【０００７】
他の課題は、マルチメディアシステムの電力制御を実現する通信プロトコルを提供することである。
【課題を解決するための手段】
【０００８】
本発明の一特徴によると、本発明は、マルチメディアシステムにおいて電力状態を検出及び制御する方法であって、前記システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、当該方法は、
前記コネクタボックスにおいて、
前記マルチメディアソースの電力状態を決定するステップと、
前記送信モジュールの電力状態を前記マルチメディアソースについて決定されたものと同一の電力状態にスイッチするステップと、
前記マルチメディアソースの現在の電力状態を示す情報を前記受信モジュールに提供するステップと、
前記マルチメディアデバイスにおいて、
前記受信モジュールの電力状態を前記マルチメディアソースについて決定されたものと同一の電力状態にスイッチするステップと、
を有する方法に関する。
【０００９】
一実施例では、本方法はさらに、前記マルチメディアデバイスにおいて、
前記マルチメディアシンクの電力状態を決定するステップと、
前記受信モジュールの電力状態を前記マルチメディアシンクについて決定されたものと同一の電力状態にスイッチするステップと、
前記マルチメディアシンクの現在の電力状態を示す情報を前記送信モジュールに提供するステップと、
前記コネクタボックスにおいて、
前記送信モジュールの電力状態を前記マルチメディアシンクについて決定されたものと同一の電力状態にスイッチするステップと、
をさらに有する。
【００１０】
従って、マルチメディアシステムに構成される各デバイスの電力状態を監視することが可能となる。それに基づき、送信及び受信モジュールの電力状態が電源の電力状態に調整される。すなわち、送信モジュールと受信モジュールの電力状態が電源の同一の電力状態に従うため、マルチメディアシステムにおいて整合的な電力動作が実現される。このため、電源の電力状態が、例えば、低電力のスタンバイモード（ＳＴＢ）にあると判断された場合、送信及び受信モジュールの電力状態は、低電力ＳＴＢモードにスイッチされる（それが異なる電力状態にあった場合）。この結果、システムにおける電力消費を最小限に抑えられ、同時にマルチメディアシステムの電力動作が調整される。以下において、ソースという用語は、Ａ／Ｖデータを送信するマルチメディアコネクタボックスの一部を表し、シンクという用語は、Ａ／Ｖデータを受信し、テレビ画面、モニタ、スピーカーなどのユーザに提供するマルチメディアデバイスの一部を表す。本特許出願において、電源という用語は、マルチメディアシステムのマルチメディアソース及びシンクを表す。
【００１１】
一実施例では、前記マルチメディアソースの現在の電力状態を示す情報を前記受信モジュールに提供するステップは、前記マルチメディアソースの現在の電力状態を示すデータを前記受信モジュールに送信する。他の実施例では、前記マルチメディアソースの現在の電力状態を示す情報を前記受信モジュールに提供するステップは、前記送信モジュール又は前記マルチメディアソースにおける信号動作に基づき、前記受信モジュールは、前記信号動作を自動検出し、前記信号動作に基づき前記送信モジュールの現在の電力状態を決定するよう構成される。このようにして、モジュールは電源の現在の電力状態について効果的な方法により通知されうる。
【００１２】
一実施例では、前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する。
【００１３】
一実施例では、前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する。一実施例では、前記検出された信号動作が所定の期間において動作が検出されなかったことを示す場合、電源の電力状態はスタンバイ状態（ＳＴＢ）又はオフ状態（ＯＦＦ）であると決定され、そうでない場合、前記電源の電力状態はオン状態（ＯＮ）であると決定される。このようにして、電源の現在の電力状態を示す極めて明確な指標が取得される。これにより、ある期間ｔの間に動作が検出されなかった場合、送信及び受信モジュールは、ＯＮ状態（これが現在の状態であると仮定する）からＳＴＢ又はＯＦＦ状態にスイッチされ、動作が検出された場合、送信及び受信モジュールはＯＮ状態にスイッチされる。
【００１４】
他の特徴では、本発明は、上記方法の各ステップを処理ユニットが実行することを可能にする命令を格納するコンピュータ可読媒体に関する。
【００１５】
さらなる他の特徴では、本発明は、送信モジュールに相互接続されるマルチメディアソースを有するマルチメディアコネクタボックスと、マルチメディアシンクに相互接続される受信モジュールを有するマルチメディアデバイスとを有するマルチメディアシステムの電力制御を実現するよう構成される通信プロトコルであって、前記送信モジュールと前記受信モジュールとは、マルチメディアインタフェース手段を介しやりとりし、前記マルチメディアソースの現在の電力状態を示す情報が前記受信モジュールに提供され、又は、前記マルチメディアシンクの現在の電力状態を示す情報が前記送信モジュールに提供され、前記情報は、前記システムの電力モードを調整するのに使用される通信プロトコルに関する。一実施例では、インタフェース媒体は、有線接続、光接続又は無線接続を有する。
【００１６】
一実施例では、通信プロトコルにおいて提供される前記情報は、光又は無線媒体を介し＋５Ｖ信号の状態とＨＰＤ信号の状態とを送信することによって提供される。
【００１７】
さらなる他の特徴では、本発明は、マルチメディアシステムにおいて電力状態を検出及び制御するよう構成されるシステムであって、当該システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、当該システムは、
前記コネクタボックスにおいて、
前記マルチメディアソースの電力状態を決定するよう構成される電力検出手段と、
前記送信モジュールの電力状態を前記マルチメディアソースについて決定されたものと同一の電力状態にスイッチするよう構成されるスイッチ機構と、
を有し、前記マルチメディアソースの現在の電力状態を示す情報は、前記受信モジュールに提供され、
前記マルチメディアデバイスにおいて、
前記受信モジュールの電力状態を前記マルチメディアソースについて決定されたものと同一の電力状態にスイッチするよう構成されるスイッチ機構と、
を有するシステムに関する。
【００１８】
一実施例では、前記マルチメディアインタフェース手段は、ＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）又はデジタル未圧縮ビデオオーディオインタフェース手段を有する。
【００１９】
一実施例では、前記送信モジュールと前記受信モジュールとは、光学的又は無線により接続される。
【００２０】
一実施例では、本システムは、コネクタボックス及びディスプレイに実装され、前記マルチメディアインタフェース手段並びに前記送信モジュール及び前記受信モジュールから独立したスタンバイ機構をさらに有し、前記コネクタボックス又は前記ディスプレイは、マスタとしての役割を担い、前記マスタは、所定の通信プロトコルを介し所定のハンドシェイク機構を利用することによって、スレーブをスタンバイ状態にする。
【００２１】
一実施例では、前記コネクタボックスは、マスタとして機能し、前記マルチメディアデバイスは、スレーブとして機能する。
【００２２】
一実施例では、スタンバイモードに移行し戻るため、ハンドシェイクが利用される。例えば、ＣＥＣ（Ｃｏｎｓｕｍｅｒ  Ｅｌｅｃｔｒｏｎｉｃｓ  Ｃｏｎｔｒｏｌ）ハンドシェイクが、スタンバイモードに移行し戻るのに利用可能である。
【００２３】
さらなる他の特徴では、本発明は、マルチメディアシステムにおいて電力状態を制御するため、前記マルチメディアシステムに実装されるよう構成される機構であって、
前記システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、
当該機構は、
前記マルチメディアソース又はシンクの電力状態を検出するよう構成される電力検出手段と、
前記送信モジュール又は前記受信モジュールの電力状態を前記マルチメディアソース又はシンクについて検出されたものと同一の電力状態にスイッチするよう構成される電力スイッチ機構と、
を有する機構に関する。
【００２４】
一実施例では、当該機構は、前記マルチメディアインタフェース手段を介し＋５Ｖ信号の状態とＨＰＤ（Ｈｏｔ−Ｐｌｕｇ−Ｄｅｔｅｃｔ）信号の状態とを送信するようさらに構成される。
【００２５】
さらなる他の特徴では、本発明は、マルチメディアシステムにおいて電力状態を制御するため、前記マルチメディアシステムに実装されるよう構成される機構において実行される方法であって、前記システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、
当該方法は、
前記マルチメディアソース又はシンクの電力状態を検出するステップと、
前記送信モジュール又は前記受信モジュールの電力状態を前記マルチメディアソース又はシンクについて検出されたものと同一の電力状態にスイッチするステップと、
を有する方法に関する。
【００２６】
本発明の各特徴は、その他の特徴の何れかと組み合わせ可能である。本発明の上記及び他の特徴は、以降に記載される実施例を参照して明らかにされる。
【発明を実施するための最良の形態】
【００２７】
図１は、本発明による送信モジュール（ＴＸ）に相互接続されるマルチメディアソースを有するマルチメディアコネクタボックスと、マルチメディアシンクに相互接続される受信モジュール（ＲＸ）を有するマルチメディアデバイスとを有するマルチメディアシステムにおいて電力状態を制御する方法であって、ＴＸとＲＸは、光又は無線ベースＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）接続などのマルチメディアインタフェース手段を介しやりとりする方法を示す。このようなマルチメディアシステムは、セットトップボックス、ＤＶＤプレーヤー、Ａ／Ｖ受信機などの互換性のあるデジタルオーディオ／ビデオソースと、デジタルテレビなどの互換性のあるデジタルオーディオ及び／又はビデオモニタとから構成することができる。
【００２８】
好適な実施例では、ＴＸ及びＲＸはソース及びシンクを介し電力供給されるが、外部ＡＣ／ＤＣがまた電源として利用可能である。
【００２９】
図１のフローチャートを参照するに、ステップ（Ｓ１）〜（Ｓ４）はコネクタボックス側に適用され、ステップ（Ｓ５）はマルチメディアデバイス側に適用される。しかしながら、これはもちろん、ステップ（Ｓ１）〜（Ｓ４）がマルチメディアデバイス側に適用され、ステップ（Ｓ５）がコネクタボックス側に適用されるように逆にすることもできる。
【００３０】
第１ステップでは、マルチメディアソースの電力状態が、例えば、マルチメディアソースと送信モジュールとの間の信号動作を検出することによって、決定される（Ｓ１，１０１）。信号動作は、例えば、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ライン上で検出されるかもしれない。検出された電力状態に基づき、送信モジュールの電力状態はマルチメディアソースに対して検出されたものと同一の電力状態にスイッチされる（Ｓ２，１０３）。その後、マルチメディアソースの現在の電力状態を示す情報が、受信モジュールに提供される必要がある（Ｓ３，１０５）。この情報を提供するステップ（Ｓ３，１０５）は、一実施例では、マルチメディアソースの現在の電力状態を示すデータを受信モジュールに送信することを含む。他の実施例では、提供された情報は、送信モジュール又はマルチメディアソースにおける信号動作に基づくものであり、受信モジュールは、信号動作を自動検出するよう構成され、それに基づき送信モジュールの現在の電力状態が決定される。
【００３１】
この情報に基づき（Ｓ４，１０７）、受信モジュールの電力状態が、マルチメディアソースについて決定されたものと同一の電力状態にスイッチされる（それが同一の電力状態にない場合）。
【００３２】
図２は、本発明による機構２００ａ及び２００ｂを有するシステム２２０の実施例を示す。これらの機構は、送信モジュール（ＴＸ）２０４に相互接続されるマルチメディアソース（ＳＯ）２０３を有するマルチメディアコネクタボックス２０１と、マルチメディアシンク（ＳＩ）２０６に相互接続される受信モジュール（ＲＸ）２０５を有するマルチメディアデバイス２０２とを有するマルチメディアシステムにおいて電力状態を検出及び制御するよう構成され、ＴＸとＲＸはマルチメディアインタフェース手段２１０を介しやりとりする。マルチメディアインタフェース手段２１０は、有線若しくは無線接続又は光リンクなどを有する可能性がある。本実施例では、ＴＸモジュールとＲＸモジュールに統合されている機構２００ａ及び２００ｂは、本実施例では信号検出手段２０７ａ及び２０７ｂである電力検出手段（２０７ａ）と、電力スイッチ機構２０８ａ及び２０８ｂを有する。信号検出手段２０７ａ及び２０７ｂはそれぞれ、ＴＸ２０４とマルチメディアシンク（ＳＩ）２０６との間とＲＸ２０５とマルチメディアシンク（ＳＩ）２０６との間の信号動作２０９ａを検出する。検出された信号動作２０９ａ及び２０９ｂは、本ケースではマルチメディアシンク（ＳＩ）２０６とマルチメディアシンク（ＳＩ）２０６である、マルチメディアシステムの電源の現在の電力状態を決定するのに使用される。電力スイッチ機構（Ｓ＿Ｍ）２０８ａ及び２０８ｂは、ＴＸ２０４とＲＸ２０５の電力状態を電源について決定されたものと同一の電力状態にスイッチし、すなわち、マルチメディアシンク（ＳＩ）２０６とマルチメディアシンク（ＳＩ）２０６と同一の電力状態にスイッチするよう構成される。ある電力状態から他の電力状態への電力状態のスイッチの各種シナリオが、以降において詳細に説明される。
【００３３】
図３は、図２のマルチメディアシステム２１０のための一例となるセットアップを概略的に示す。本例では、マルチメディアシステム２１０は、ＨＤＭＩベース接続を利用したＥ−Ｂｏｘ  ３０１ａ〜３０１ｃ／ディスプレイ３００ａ〜３００ｃの組み合わせを有する。図３ａは、標準的な物理的銅線接続などの標準的なＨＤＭＩケーブル３０１ａが使用されるシナリオを示し、図３ｂは、光リンク３０１ｂとして示される光双方向ＴＸ／ｒｘモジュール、光ファイバ及び光双方向ＲＸ／ｔｘモジュールが実装されるケースを示し、図３ｃは、無線リンク３０１ｃとして示される無線ＴＸ／ｒｘモジュールと無線ＲＸ／ｔｘモジュールから構成されるセットアップを示す。
【００３４】
上述されるように、ビデオ及びオーディオデータの送信部はソースと呼ばれ、受信部はシンクと呼ばれる。ソースを介したシンクの制御又はシンクを介したソースの制御は、典型的には、ＨＤＭＩ規格によるオプションであるＣＥＣ（Ｃｏｎｓｕｍｅｒ  Ｅｌｅｃｔｒｏｎｉｃｓ  Ｃｏｎｔｒｏｌ）チャネルを介し実行される。第２及び第３セットアップでは、リンクはＨＤＭＩケーブルにおいて利用可能なすべての信号について透過であるとは限らないため、特別な措置がとられる必要がある。図４は、このようなＥｂｏｘ（Ｅ−Ｂ）４０１／ディスプレイ（Ｄｉｓｐ）４０２のより詳細な概略図を示す。
【００３５】
以下において、光及び無線双方向ＴＸ及びＲＸモジュールは、ＴＸ／ｒｘ及びＲＸ／ｔｘと呼ばれることもある。ソースに接続されているモジュールのメイン機能は送信モードであり、シンクに接続されているモジュールのメイン機能は受信モードであるが、２つのモジュールは、好ましくは、送受信モジュール、すなわち、送信機能と受信機能の両方を有するためである。ＴＸは順方向において最も高いスループットを有し、ＲＸは逆方向において最も高いスループットを有する。それをＴＸ及びＲＸモジュールと呼ぶ理由は、フォワード又は順方向リンクについて要求される帯域幅が、バックワード又は逆方向リンクについて要求される帯域幅よりはるかに大きいという事実のためである。順方向リンクは、ビデオ、オーディオ及びコントロールデータを転送するのに使用され、逆方向リンクは、コントロールデータを転送するためしか使用されない。
【００３６】
Ｅ−Ｂｏｘ（Ｅ−Ｂ）４０１などのコネクタボックスとディスプレイ（Ｄｉｓｐ）との間にアクティブなＴＸ４０３とＲＸ４０４を設けることは、電力動作をより複雑なものにする。これは、モジュール４０３及び４０４が各自の電力状態を有する可能性が高く、他方の装置を完全に透過に観察できない可能性があるためである（物理ケーブルを使用する際に与えられるように）。これは、整合的な電力状態動作を実現するため、ＴＸ及びＲＸに追加的な要求を課すことになる。また、ＲＣ受信に接続されるＣＥＣコマンドを介した電力状態制御は、何れの規格にも規定されていない。
【００３７】
実施例では、本発明は、Ｅ−Ｂｏｘ（コネクタボックス）３０１ａ〜３０１ｃ及びディスプレイ３００ａ〜３００ｃと共に、ＴＸ及びＲＸモジュール４０３、２０４、４０４、２０５におけるソフトウェア制御を実現することに基づいている。図４に示される実施例では、ディスプレイ（Ｄｉｓｐ）４０２はまた、ＲＣ復号化及び電力制御のためのコントローラを有する。
【００３８】
本発明は、効果的には、薄型ディスプレイを有し、さらにＥ−Ｂｏｘとディスプレイとの間に高品質なビデオリンク及びオーディオを有することが重要となるフラットテレビ製品において適用可能である。
【００３９】
一般に、光又は無線ＴＸ及びＲＸ４０３、２０４、４０４、２０５が、外部ＡＣ／ＤＣコンバータを介し、又はソース及びシンク２０３、２０６を介し電力供給される。電力がソース及びシンク２０３、２０６を介し供給される場合、光３０１ｂ及び無線３０１ｃＴＸモジュール２０４、４０３及びＲＸモジュール２０５、４０４が、ソース装置及びシンク装置がスイッチオフされるのと同時にスイッチオフされる。ＯＦＦ状態の次に、システムはＳＴＢ及びＯＮ状態を有する。ＳＴＢでは、システムは低電力モードとなり、当該モードではビデオ及びオーディオは転送されないため、低消費となる。ＯＮ状態では、ソース、シンク及びリンクの各モジュールはアクティブ状態となる。典型的には、ソース及びシンクの前の状態がＳＴＢであるときに限って、ＯＮ状態に移行可能である。ＯＦＦスイッチを介し又はコンセントからプラグを抜くことを介し、ＯＦＦ状態に移行可能である。ソース及びシンク２０３のデフォルト状態はＳＴＢである。ＴＸ及びＲＸリンクモジュール４０３、２０４、４０４、２０５はまた、同様に規定されているＳＴＢ及びＯＮ状態を有している。ＴＸ及びＲＸリンクモジュールは、ＣＥＣ動作又はオーディオ及びビデオ動作によって、ＳＴＢ状態からウェークアップ可能である必要がある。すなわち、それらはＨＤＭＩ  ＴＭＤＳライン又はクロックライン及びＣＥＣライン上での動作を検出する必要がある。図２に示されるスイッチ機構（Ｓ＿Ｍ）２０８は、図２に示される信号検出手段（Ｓ＿Ｄ）２０７により検出された動作に基づき、ＯＮ状態からＳＴＢ状態にＴＸ及びＲＸリンクモジュール２０４、２０５、４０３、４０４を移行する必要がある。監視されているラインの何れかにおける非アクティブ状態の期間の後、ＴＸ及びＲＸリンクモジュールは、ＯＮ状態からＳＴＢ状態にスイッチすべきである。ＳＴＢでは、ＴＸ及びＲＸリンクモジュール４０３、２０４、４０４、２０５は、一実施例では、リンクは低電力消費モードにより動作するが、＋５Ｖ信号及びＨＰＤ（Ｈｏｔ  Ｐｌｕｇ  Ｄｅｔｅｃｔ）信号を保持することができるべきである。この要求を実現するための以下に与えられる少なくとも２つのアプローチがある。第１アプローチは、ＴＸ及びＲＸリンクモジュール４０３、２０４、４０４、２０５の間の双方向低速／低電力なセカンダリリンクを維持し、高速一方向のプライマリリンクをＯＦＦにスイッチするものである。第２アプローチは、双方向セカンダリリンクを備えていないが、一方向の順方向リンクと一方向の（おそらく低速の）逆方向リンクのみを有するＴＸ及びＲＸリンクモジュール４０３、２０４、４０４、２０５に適用される。この状況では、＋５Ｖ及びＨＰＤ信号の実際の状態が頻繁にリンクを介し送信されるとき、＋５Ｖ信号及びＨＰＤ信号を保持することが可能である。これは、時間の関数としての電力消費を示す図５に概略的に示される。このため、ＳＴＢでは、＋５Ｖ及びＨＰＤラインの状態を介し送信を可能にするため、順方向リンクと逆方向リンクが頻繁にスイッチＯＮされるが、順方向リンクと逆方向リンクがスイッチＯＦＦされる。ＯＮとＯＦＦの切替の間の時間は、システムが対称的に動作するのに十分短いものであるべきであると共に、ＴＸ及びＲＸリンクモジュールのＳＴＢ電力消費を可能な限り小さく維持するのに十分長いものであるべきである。ＨＰＤ信号がアサート解除されるときは常に、ソースはＳＴＢとなる。シンクがＯＦＦにスイッチされるとき、ＲＸリンクモジュールがシンクから切断されるとき、又はＴＸリンクモジュールがソースから接続されるとき、ＨＰＤ信号はアサート解除される。
【００４０】
＋５Ｖ信号がアサート解除されるときは常に、シンクはＳＴＢに移行する。シンクがＯＦＦにスイッチされるとき、ＴＸリンクモジュールがシンクから切断されるとき、又はＲＸリンクモジュールがシンクから切断されるとき、＋５Ｖ信号はアサート解除される。
【００４１】
＋５Ｖ及びＨＰＤ信号は、ソース又はシンクをＳＴＢからＯＮ状態にスイッチしない。これは、ＨＤＭＩ規格とコンフリクトするため、実行することができない。ソース、シンク、ＴＸリンクモジュール及びＲＸリンクモジュールをＳＴＢに有するシステムのＳＴＢでは、＋５Ｖ信号とＨＰＤ信号のレベルは維持される必要がある。
【００４２】
システムをＳＴＢからＯＮにスイッチすることは、ソース又はシンク上でのローカルキーパッド又はアウェーカブル（ａｗａｋｅａｂｌｅ）ＲＣコマンドを介してのみ実行可能である。ＲＣ  ＲＸは、ソース又はシンク上に配設可能であるが、好ましくは、シンク上に配設される。以下において、テレビ分離アーキテクチャシステムのケースに対応して、ＲＣ  ＲＸはシンクに配設される。上記構成は一例であり、システムをＳＴＢからＯＮ状態にスイッチするための他の機構を規定することができる。
【００４３】
図６は、テレビプラットフォーム（ＴＶ＿Ｐ）６０４及びインタフェースプラットフォーム（ＩＦ＿Ｐ）６０２を有するコネクタボックス６０１と、コネクタボックスに相互接続される送信モジュール（ＴＸ／ｒｘ）６０３と、受信モジュール（Ｒｘ／Ｔｘ）６０８に相互接続され、ディスプレイプラットフォーム（ＤＰ＿Ｐ）６０６及びモニタプラットフォーム（Ｍ＿Ｐ）６０７を有するモニタ６０５とを示すマルチメディアシステム６００の一例を示す。通常、テレビプラットフォーム６０４は、ディスプレイに設けられるが、ここではコネクタボックス６０４に配設される。コネクタからモニタ６０５への唯一の接続は、上述されるように、プレインなＨＤＭＩケーブル、光リンク又は無線リンクとすることができるＨＤＭＩベースリンク６０８である。すべての外部接続はコネクタボックス６０１になされ、コネクタボックス６０１の内部で処理される。他方の側では、コネクタボックスは固定されたビデオ及びオーディオフォーマットを出力する。このフォーマットは、ディスプレイ６０６に提供される前に最終的なバックエンド処理がなされ、最終的なスケーリングステップをこれの一部とすることができる。実施例では、主に無線リンクが当該時点ではより高い解像度をサポートしていない可能性があるため、固定されたビデオフォーマットは、１２８０×７２０ｐ＠６０Ｈｚとなるよう選択される。１９２０×１０８０ｐ＠６０Ｈｚへの最終的なスケーリングは、ディスプレイにおいて実行される。
【００４４】
次に、上述されたものと異なる電力状態及びスタートアップ動作が、図７〜８及び１０〜１６に示されるフロー図に基づきより詳細に説明される。以下に示されるテーブル１において、説明される各種シナリオが記載される。
【００４５】
【表１】
2009506615.tif 000003
図７は、テーブル１のシナリオ１のケースにおけるコネクタボックス（Ｃ＿Ｂ）７０１に構成されるソース（Ｓｏ）、モニタ（Ｍ）７０２に構成されるシンク（Ｓｉ）、並びにＴＸ７０４及びＲＸ７０５のリンクモジュールの状態変化を示すフロー図を示す。このフロー図は、シンクがＯＮ電力状態からＯＦＦ電力状態にスイッチされるシナリオを示す。
【００４６】
シンクと同時に、ＲＸリンクモジュール７０５はＯＦＦされることに留意することが重要である。この場合、ＲＸモジュールはシンクを介し電力供給される。ＲＸモジュールが外部ＡＣ／ＤＣアダプタを介し電力供給される場合、モジュールはＯＦＦ状態に移行する代わりに、ＳＴＢ状態に移行する。一定時間後、ＴＸリンクモジュール７０４がＨＰＤ信号がないことを検出し、ソースへのそれのＨＰＤ信号をアサート解除し、その後にソースはＳＴＢにスイッチすることができる。ＴＸリンクモジュールは、オーディオ／ビデオ及びＣＥＣ動作がない場合、所与の時間にＳＴＢにスイッチすべきである。それは、定期的に＋５Ｖ状態をＲＸリンクモジュールに送信しようと試みるべきである。この場合、ＲＸリンクモジュールは、ＯＦＦにされているため応答することはない。
【００４７】
図８は、テーブル１のシナリオ２のケースにおけるソース、シンク並びにＴＸ及びＲＸリンクモジュールの状態変化を示す他のフロー図を示す。モニタがアクティブ化されている場合、デフォルト状態はＳＴＢである。このフロー図は、ソースがＳＴＢ電力状態にあるとき、シンクがＯＦＦ電力状態からＳＴＢ電力状態にスイッチされるシナリオを示している。上述したように、ＴＸリンクモジュール７０４は、図９ａに示されるように、＋５Ｖ状態を規則的に送信し続ける。ＲＸリンクモジュール７０５は、＋５Ｖ信号を検出することができ、これによりソース及びＴＸリンクモジュール７０４の利用可能性を検出することができるように、初期的にはＳＴＢ又はＯＮにある。＋５Ｖ状態を受信すると、それをシンクに転送する。シンクはＨＰＤ信号をアサートし、ＲＸリンクモジュールは、ＨＰＤ信号の状態をＴＸリンクモジュールに送信する。それは、ＳＴＢモードに留まるか、又はＯＮ状態にスイッチし、すぐにＳＴＢ状態に戻ることによりこれを実行する。ＴＸリンクモジュール及びＲＸリンクモジュールは、規則的に＋５Ｖ信号ＨＰＤ信号を互いに送信する。ＴＸリンクモジュール７０４とＲＸリンクモジュール７０５は、低電力のＳＴＢ状態において＋５Ｖ又はＨＰＤ状態を受信することが可能であるが、＋５Ｖ及びＨＰＤ状態を送信するようＯＮされる必要があるかもしれないということが仮定される。ＴＸ及びＲＸリンクモジュールが低電力ＳＴＢ状態において＋５Ｖ又はＨＰＤ状態を受信することができない場合、ＴＸ及びＲＸリンクモジュールは、ＳＴＢ状態に戻る前にこれらの信号の可能性のある到来を聴取するため（図９ｂを参照）、規則的にＯＮにスイッチされる。図９ｂに示される聴取期間は、少なくとも２つの状態通信間の期間と同程度の長さであるべきである。ＴＸ及びＲＸモジュールが時間に関して正確に同期している場合、聴取期間は図９ａと同程度まで短縮することが可能である。
【００４８】
図１０は、テーブル１のシナリオ３のケースにおけるソース、シンク並びにＴＸ７０４及びＲＸ７０５リンクモジュールの状態変更のフロー図を示す。このフロー図は、ソースがＯＦＦにあるとき、シンクがＯＦＦ電力状態からＳＴＢ電力状態にスイッチされるシナリオを示す。
【００４９】
システム全体がＯＦＦ状態にあり、シンクがアクティブ化された場合、それはデフォルトによりＳＴＢに移行する。同様のことが、ＲＸリンクモジュール７０５に適用される。ＲＸリンクモジュールがＳＴＢにあるときに聴取不可である場合、ＲＸリンクモジュール７０５は、可能性のある状態通信を聴取するため、ＯＮ状態に規則的に移行すべきである。
【００５０】
図１１は、テーブル１のシナリオ４のケースにおけるソース、シンク並びにＴＸ７０４及びＲＸ７０５リンクモジュールの状態変更のフロー図を示す。このフロー図は、ソースがＯＮ電力状態からＯＦＦ電力状態にスイッチされるシナリオを示す。この場合、ＴＸモジュールは、ソースデバイスを介し電力供給されているとき、ソースデバイスと同時にＯＦＦにスイッチされる。ＴＸモジュールが外部のＡＣ／ＤＣアダプタを介し電力供給されているとき、ＴＸモジュールはＳＴＢにスイッチする。
【００５１】
システム全体がＯＮ状態にあり、ソース（コネクタボックス（Ｃ＿Ｂ）７０１）がＯＦＦにスイッチされる場合、＋５Ｖ状態はもはやＲＸリンクモジュールには送信されない。＋５Ｖ信号の検出がなくなると、ＲＸリンクモジュールはシンクに対するそれの＋５Ｖ信号をアサート解除し、シンクはそれのＨＰＤ信号をアサート解除する。
【００５２】
図１２は、テーブル１のシナリオ５のケースにおけるソース、シンク並びにＴＸ７０４及びＲＸ７０５リンクモジュールの状態変更のフロー図を示す。このフロー図は、シンクがＳＴＢ電力状態にあるとき、ソースがＯＦＦ電力状態からＳＴＢ電力状態にスイッチされるシナリオを示す。
【００５３】
シンクがＳＴＢ状態にあり、ソースがＯＦＦ状態にあって、アクティブ化された場合、それはデフォルトにＳＴＢ状態に移行する。ＴＸリンクモジュール７０４は、＋５Ｖ信号をアサートし、＋５Ｖ信号の状態をＲＸリンクモジュール７０５に転送する。ＲＸリンクモジュール７０５は、シンクに対する＋５Ｖ信号をアサートする。シンクはそれのＨＰＤラインをアサートし、ＲＸリンクモジュール７０５は、ＨＤＰラインの状態をＴＸリンクモジュール７０４に転送する。ＴＸリンクモジュール７０４は、ソースに対するＨＰＤラインをアサートする。ＴＸ７０４及びＲＸ７０５のリンクモジュールは、それらのキャパシティに依存して、上述されたものと同じ機構の１つを利用する。
【００５４】
図１３は、テーブル１のシナリオ６のケースにおけるソース、シンク並びにＴＸ７０４及びＲＸ７０５リンクモジュールの状態変更のフロー図を示す。このフロー図は、シンクがＯＦＦ電力状態にあるとき、ＯＦＦ電力状態からＳＴＢ電力状態にスイッチされるシナリオを示す。
【００５５】
ソースとシンクがＯＦＦ状態にあって、ソースがアクティブ化された場合、それはデフォルトにＳＴＢ状態に移行する。ソースはそれの＋５Ｖラインをアサートし、ＴＸリンクモジュール７０４は、＋５Ｖ信号の状態をＲＸリンクモジュールに送信する。ＲＸリンクモジュール７０５はＯＦＦ状態にあるため、当該状態を受信できず、ＨＰＤ状態を送信しない。
【００５６】
図１４は、テーブル１のシナリオ７のケースにおけるソース、シンク並びにＴＸ７０４及びＲＸ７０５リンクモジュールの状態変更のフロー図を示す。
【００５７】
システム全体がＳＴＢにあり、ＲＣアウェーカブル又はローカルキーコマンドが受信される場合、シンクはベンダーに固有のリモートコントロールＣＥＣメッセージに含まれるＲＣコマンドをソースに送信する。ＲＸリンクモジュール７０５は、ＣＥＣ動作によってアクティブ化され、ＣＥＣメッセージをＴＸリンクモジュール７０４に送信する。ＴＸリンクモジュールは、ＣＥＣ動作によりアクティブ化され、ＣＥＣメッセージをソースに転送する。ソースは、ＣＥＣメッセージを受信し、ＲＣコマンドを解釈し、ウェークアップする。それは、“画像表示ＯＮ”メッセージ又はシンクをＳＴＢからＯＮにスイッチするよう規定された他のメッセージをシンクに送信し、シンクは、このメッセージを受信することによりウェークアップする。この時点で、構成全体がＯＮにスイッチされ、オーディオ／ビデオがＨＤＭＩにより図示されるように、リンクを介し送信可能となる。
【００５８】
図１５は、テーブル１のシナリオ８のケースにおけるソース、シンク並びにＴＸ７０４及びＲＸ７０５リンクモジュールの状態変更のフロー図を示す。
【００５９】
システム全体がＯＮ状態にあり、ＳＴＢ  ＲＣコマンドがシンクにより受信されると、シンクはＲＣメッセージをベンダー固有のリモートコントロールＣＥＣメッセージに含めてソースに転送する。ＣＥＣメッセージは、ソースにより受信され、ソースにより解釈される。ソースは、ＳＴＢにスイッチし、シンクをＳＴＢにスイッチするため、ＣＥＣシステムスタンバイコマンドをシンクに送信する。ソース及びシンクをＳＴＢにスイッチした後、ＴＸ及びＲＸリンクモジュールは、ＣＥＣ又はオーディオ／ビデオ動作なしに一定時間後にＳＴＢにスイッチする。ソース、シンク並びにＴＸ及びＲＸリンクモジュールは、＋５Ｖ信号及びＨＰＤ信号を通信し続ける。
【００６０】
図１６は、テーブル１のシナリオ９のケースにおけるソース、シンク並びにＴＸ７０４及びＲＸ７０５リンクモジュールの状態変更のフロー図を示す。
【００６１】
システム全体がＳＴＢにあって、シンクがアウェーカブルＲＣコマンドのリストにはないＲＣコマンドを受信した場合、それはベンダー固有のリモートコントロールＣＥＣメッセージに埋め込まれたＲＣコマンドをソースに送信する。ＣＥＣ動作を検出すると、ＲＸ７０５及びＴＸ７０４のリンクモジュールは、ＯＮにスイッチし、ＣＥＣメッセージを転送する。ソースは、ＣＥＣメッセージ埋め込まれたＲＣコマンドを解釈し、それがアウェーカブルＲＣコマンドでないことを検出し、ＳＴＢ状態に留まる。ＴＸ及びＲＸリンクモジュールは、ＣＥＣ又はオーディオ／ビデオ動作なしに一定時間後にＳＴＢ状態に戻る。
【００６２】
本発明の明確かつ完全な理解を提供するため、開示された実施例の具体的詳細が限定のためでなく説明のために提供された。しかしながら、本発明が、本開示の趣旨及び範囲から大きく逸脱することなく、ここに記載された詳細に正確に従っていない他の実施例においても実施可能であるということが、当業者により理解されるべきである。さらに、ここでの記載において、簡単化及び明確化のため、周知な装置、回路及び方法の詳細な説明は、不要な詳細及び可能性のある混乱を回避するため省略された。
【００６３】
請求項に参照符号が含まれているが、参照符号を含めることは、明確化のためだけであり、請求項の範囲を限定するものとして解釈されるべきでない。
【図面の簡単な説明】
【００６４】
【図１】図１は、本発明によるマルチメディアシステムにおいて電力状態を制御する方法の一実施例を示す。
【図２】図２は、マルチメディアシステムにおける電力状態を制御する電力制御システムを示す。
【図３】図３は、図２のマルチメディアシステムの一例の典型的なセットアップを示す。
【図４】図４は、Ｅｂｏｘ（Ｅ＿Ｂ）−ディスプレイ（Ｄｉｓｐ）の組み合わせの詳細な概略図を示す。
【図５】図５は、モジュールが低電力ＳＴＢモードにある場合、時間の関数としてのＴＸ及びＲＸモジュールの電力消費を示す。
【図６】図６は、マルチメディアシステムの実施例を示す。
【図７】図７は、ソース、シンク並びにＴＸ及びＲＸリンクの状態変更の各種シナリオを示すフロー図である。
【図８】図８は、ソース、シンク並びにＴＸ及びＲＸリンクの状態変更の各種シナリオを示すフロー図である。
【図９ａ】図９ａは、モジュールが低電力ＳＴＢモードにある場合、時間の関数としてのＴＸ及びＲＸモジュールの電力消費を示す。
【図９ｂ】図９ｂは、モジュールが低電力ＳＴＢモードにある場合、時間の関数としてのＴＸ及びＲＸモジュールの電力消費を示す。
【図１０】図１０は、ソース、シンク並びにＴＸ及びＲＸリンクの状態変更の各種シナリオを示す。
【図１１】図１１は、ソース、シンク並びにＴＸ及びＲＸリンクの状態変更の各種シナリオを示す。
【図１２】図１２は、ソース、シンク並びにＴＸ及びＲＸリンクの状態変更の各種シナリオを示す。
【図１３】図１３は、ソース、シンク並びにＴＸ及びＲＸリンクの状態変更の各種シナリオを示す。
【図１４】図１４は、ソース、シンク並びにＴＸ及びＲＸリンクの状態変更の各種シナリオを示す。
【図１５】図１５は、ソース、シンク並びにＴＸ及びＲＸリンクの状態変更の各種シナリオを示す。
【図１６】図１６は、ソース、シンク並びにＴＸ及びＲＸリンクの状態変更の各種シナリオを示す。
【図１】
2009506615.tif 000004
【図２】
2009506615.tif 000005
【図３ａ】
2009506615.tif 000006
【図３ｂ】
2009506615.tif 000007
【図３ｃ】
2009506615.tif 000008
【図４】
2009506615.tif 000009
【図５】
2009506615.tif 000010
【図６】
2009506615.tif 000011
【図７】
2009506615.tif 000012
【図８】
2009506615.tif 000013
【図９ａ】
2009506615.tif 000014
【図９ｂ】
2009506615.tif 000015
【図１０】
2009506615.tif 000016
【図１１】
2009506615.tif 000017
【図１２】
2009506615.tif 000018
【図１３】
2009506615.tif 000019
【図１４】
2009506615.tif 000020
【図１５】
2009506615.tif 000021
【図１６】
2009506615.tif 000022
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
マルチメディアシステムにおいて電力状態を検出及び制御する方法であって、
前記システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、前記送信モジュールは、前記マルチメディアソースの電力状態と異なる電力状態を有することが可能であり、当該方法は、
前記コネクタボックスにおいて、
前記マルチメディアソースの電力状態を決定するステップと、
前記送信モジュールの電力状態を前記マルチメディアソースについて決定されたものと同一の電力状態にスイッチするステップと、
前記マルチメディアソースの現在の電力状態を示す情報を前記受信モジュールに提供するステップと、
前記マルチメディアデバイスにおいて、
前記受信モジュールの電力状態を前記マルチメディアソースについて決定されたものと同一の電力状態にスイッチするステップと、
を有する方法。
【請求項２】
前記受信モジュールは、前記マルチメディアシンクの電力状態と異なる電力状態を有することが可能であり、
前記マルチメディアデバイスにおいて、
前記マルチメディアシンクの電力状態を決定するステップと、
前記受信モジュールの電力状態を前記マルチメディアシンクについて決定されたものと同一の電力状態にスイッチするステップと、
前記マルチメディアシンクの現在の電力状態を示す情報を前記送信モジュールに提供するステップと、
前記コネクタボックスにおいて、
前記送信モジュールの電力状態を前記マルチメディアシンクについて決定されたものと同一の電力状態にスイッチするステップと、
をさらに有する、請求項１記載の方法。
【請求項３】
前記マルチメディアソースの現在の電力状態を示す情報を前記受信モジュールに提供するステップは、前記マルチメディアソースの現在の電力状態を示すデータを前記受信モジュールに送信する、請求項１記載の方法。
【請求項４】
前記マルチメディアソースの現在の電力状態を示す情報を前記受信モジュールに提供するステップは、前記送信モジュール又は前記マルチメディアソースにおける信号動作に基づき、
前記受信モジュールは、前記信号動作を自動検出し、前記信号動作に基づき前記送信モジュールの現在の電力状態を決定するよう構成される、請求項１記載の方法。
【請求項５】
前記マルチメディアシンクの現在の電力状態を示す情報を前記送信モジュールに提供するステップは、前記マルチメディアシンクの現在の電力状態を示すデータを前記送信モジュールに送信する、請求項２記載の方法。
【請求項６】
前記マルチメディアシンクの現在の電力状態を示す情報を前記送信モジュールに提供するステップは、前記受信モジュール又は前記マルチメディアシンクにおける信号動作に基づき、
前記送信モジュールは、前記信号動作を自動検出し、前記信号動作に基づき前記受信モジュールの現在の電力状態を決定するよう構成される、請求項２記載の方法。
【請求項７】
前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する、請求項１記載の方法。
【請求項８】
前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する、請求項２記載の方法。
【請求項９】
前記送信モジュールと前記マルチメディアソースとの電力状態を決定するステップは、前記送信モジュールと前記受信モジュールとの間の信号動作を検出する、請求項１記載の方法。
【請求項１０】
前記受信モジュールと前記マルチメディアシンクとの電力状態を決定するステップは、前記受信モジュールと前記送信モジュールとの間の信号動作を検出する、請求項６記載の方法。
【請求項１１】
前記検出された信号動作が所定の期間において動作が検出されなかったことを示す場合、電源の電力状態はスタンバイ状態又はオフ状態であると決定され、そうでない場合、前記電源の電力状態はオン状態であると決定される、請求項１０記載の方法。
【請求項１２】
請求項１記載の方法の各ステップを処理ユニットが実行することを可能にする命令を格納するコンピュータ可読媒体。
【請求項１３】
送信モジュールに相互接続されるマルチメディアソースを有するマルチメディアコネクタボックスと、マルチメディアシンクに相互接続される受信モジュールを有するマルチメディアデバイスとを有するマルチメディアシステムの電力制御を実現するよう構成される通信プロトコルであって、
前記送信モジュールと前記受信モジュールとは、マルチメディアインタフェース手段を介しやりとりし、
前記送信モジュールは、前記マルチメディアソースの電力状態と異なる電力状態を有することが可能であり、前記受信モジュールは、前記マルチメディアシンクの電力状態と異なる電力状態を有することが可能であり、
前記マルチメディアソースの現在の電力状態を示す情報が前記受信モジュールに提供され、又は、前記マルチメディアシンクの現在の電力状態を示す情報が前記送信モジュールに提供され、
前記情報は、前記システムの電力モードを調整するのに使用される通信プロトコル。
【請求項１４】
前記情報は、光又は無線媒体を介し＋５Ｖ信号の状態とＨＰＤ信号の状態とを送信することによって提供される、請求項１３記載の通信プロトコル。
【請求項１５】
マルチメディアシステムにおいて電力状態を検出及び制御するよう構成されるシステムであって、
当該システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、
前記送信モジュールは、前記マルチメディアソースの電力状態と異なる電力状態を有することが可能であり、前記受信モジュールは、前記マルチメディアシンクの電力状態と異なる電力状態を有することが可能であり、
当該システムは、
前記コネクタボックスにおいて、
前記マルチメディアソースの電力状態を決定するよう構成される電力検出手段と、
前記送信モジュールの電力状態を前記マルチメディアソースについて決定されたものと同一の電力状態にスイッチするよう構成されるスイッチ機構と、
を有し、前記マルチメディアソースの現在の電力状態を示す情報は、前記受信モジュールに提供され、
前記マルチメディアデバイスにおいて、
前記受信モジュールの電力状態を前記マルチメディアソースについて決定されたものと同一の電力状態にスイッチするよう構成されるスイッチ機構と、
を有するシステム。
【請求項１６】
前記マルチメディアデバイスにおいて、前記マルチメディアシンクの電力状態を決定するよう構成される電力検出手段をさらに有し、
前記スイッチ機構は、前記受信モジュールの電力状態を前記マルチメディアシンクについて決定されたものと同一の電力状態にスイッチするよう構成され、
前記マルチメディアシンクの現在の電力状態を示す情報が、前記送信モジュールに提供される、請求項１５記載のシステム。
【請求項１７】
前記マルチメディアインタフェース手段は、ＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）又はデジタル未圧縮ビデオオーディオインタフェース手段を有する、請求項１５記載のシステム。
【請求項１８】
前記送信モジュールと前記受信モジュールとは、光学的又は無線により接続される、請求項１５記載のシステム。
【請求項１９】
コネクタボックス及びディスプレイに実装され、前記マルチメディアインタフェース手段並びに前記送信モジュール及び前記受信モジュールから独立したスタンバイ機構をさらに有し、
前記コネクタボックス又は前記ディスプレイは、マスタとしての役割を担い、
前記マスタは、所定の通信プロトコルを介し所定のハンドシェイク機構を利用することによって、スレーブをスタンバイ状態にする、請求項１５記載のシステム。
【請求項２０】
前記コネクタボックスは、マスタとして機能し、
前記マルチメディアデバイスは、スレーブとして機能する、請求項１５記載のシステム。
【請求項２１】
スタンバイモードに移行し戻るため、ハンドシェイクが利用される、請求項１５記載のシステム。
【請求項２２】
マルチメディアシステムにおいて電力状態を制御するため、前記マルチメディアシステムに実装されるよう構成される機構であって、
前記システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、
前記送信モジュールは、前記マルチメディアソースの電力状態と異なる電力状態を有することが可能であり、前記受信モジュールは、前記マルチメディアシンクの電力状態と異なる電力状態を有することが可能であり、
当該機構は、
前記マルチメディアソース又はシンクの電力状態を検出するよう構成される電力検出手段と、
前記送信モジュール又は前記受信モジュールの電力状態を前記マルチメディアソース又はシンクについて検出されたものと同一の電力状態にスイッチするよう構成される電力スイッチ機構と、
を有する機構。
【請求項２３】
当該機構は、前記マルチメディアインタフェース手段を介し＋５Ｖ信号の状態とＨＰＤ（Ｈｏｔ−Ｐｌｕｇ−Ｄｅｔｅｃｔ）信号の状態とを送信するようさらに構成される、請求項２２記載の機構。
【請求項２４】
マルチメディアシステムにおいて電力状態を制御するため、前記マルチメディアシステムに実装されるよう構成される機構において実行される方法であって、
前記システムは、送信モジュールに相互接続されるマルチメディアソースを有するマルチメディアコネクタボックスと、マルチメディアシンクに相互接続される受信モジュールを有するマルチメディアデバイスとを有し、
前記送信モジュールと前記受信モジュールとは、マルチメディアインタフェース手段を介しやりとりし、
前記送信モジュールは、前記マルチメディアソースの電力状態と異なる電力状態を有することが可能であり、前記受信モジュールは、前記マルチメディアシンクの電力状態と異なる電力状態を有することが可能であり、
当該方法は、
前記マルチメディアソース又はシンクの電力状態を検出するステップと、
前記送信モジュール又は前記受信モジュールの電力状態を前記マルチメディアソース又はシンクについて検出されたものと同一の電力状態にスイッチするステップと、
を有する方法。
【手続補正２】
【補正対象書類名】明細書
【補正対象項目名】全文
【補正方法】変更
【補正の内容】
【発明の詳細な説明】
【技術分野】
【０００１】
本発明は、送信モジュールと相互接続されたマルチメディアソースを有するマルチメディアコネクタボックスと、マルチメディアシンクと相互接続された受信モジュールを有するマルチメディアデバイスとを有するマルチメディアシステムにおいて電力状態を監視及び制御する方法及びシステムであって、送信モジュールと受信モジュールとは、マルチメディアインタフェース手段を介しマルチメディアコネクタボックスとマルチメディアデバイスとインタフェースをとる方法及びシステムに関する。本発明はさらに、処理ユニットが本方法を実行することを可能にする命令を格納するコンピュータ可読媒体に関する。本発明はさらに、本システムの電力制御を実現するよう構成される通信プロトコルに関する。本発明はさらに、上記マルチメディアシステムの電力状態を制御するためマルチメディアシステムに実装されるよう構成された機構に関する。
【背景技術】
【０００２】
多くのマルチメディアシステムは、ＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）を利用してインタフェースをとっている。ＨＤＭＩは、セットトップボックス、ＤＶＤプレーヤー、Ａ／Ｖ受信機などの何れか互換性のあるデジタルオーディオ／ビデオソースと、デジタルテレビ（ＤＴＶ）などの互換性のあるデジタルオーディオ及び／又はビデオモニタとの間のインタフェースを提供する。多くの従来システムは、セットトップボックスやフラットテレビなどの上記装置を相互接続するためのＨＤＭＩケーブルを実装している。セットトップボックスに構成されるビデオ／オーディオデータ送信部はしばしばソースと呼ばれ、Ａ／Ｖ受信機（テレビなど）に構成されるこれらのデータの受信部はしばしばシンクと呼ばれる。ソースを介したシンクの制御又はシンクを介したソースの制御は、ＨＤＭＩ規格のオプションであるＣＥＣ（Ｃｏｎｓｕｍｅｒ  Ｅｌｅｃｔｒｏｎｉｃｓ  Ｃｏｎｔｒｏｌ）チャネルを介し実行される。
【０００３】
各個別デバイスの電力状態は、このような従来システムでは監視することができず、システム全体の電力状態しか監視できない。このため、電力状態は、＋５Ｖ及びＨＰＤ機構を利用して部分的にしか監視することができない。ＳＴＢ状態では、＋５Ｖ及びＨＰＤ信号は依然として通信されるため、ＯＮ状態とＳＴＢ状態との間の区別はされない。
【０００４】
ＨＤＭＩを介しインタフェースをとる送信モジュール（ＴＸ）と受信モジュール（ＲＸ）が、ソースとシンクとの間の接続を提供するための中間オブジェクトとして要求される上記マルチメディアシステムの新世代／次世代においては、電力は従来システムよりはるかに複雑なものとなる。例えば、ＴＸとＲＸとの間の接続が光リンク又は無線リンクに基づくものである場合、このリンクはＨＤＭＩケーブルにおいて利用可能であるようなすべての信号に対して透過なものでないかもしれないため、特別な措置がとられる必要がある。また、オーディオ／ビデオデータをソースからシンクに転送するためのフォワードリンクについて要求される帯域幅は、シンクからソースへのバックワードリンクについて要求される帯域幅よりはるかに大きいため、システムの電力動作はより複雑なものとなる。なぜなら、各モジュールがほとんどの場合に各自の電力状態を有しており、標準的なＨＤＭＩケーブルが使用される場合のように、完全に透過には他方のデバイスを観察できないかもしれないためである。これは、整合的な電力動作を実現するため、ＴＸモジュールとＲＸモジュールに対してある要求をすることとなる。また、ＲＣ受信に接続されるＣＥＣコマンドを介した電力状態制御は、何れの規格にも規定されていない。
【発明の開示】
【発明が解決しようとする課題】
【０００５】
本発明の課題は、このようなマルチメディアシステムにおける電力状態制御方法を提供することによって上述した問題を解決することである。
【０００６】
さらなる課題は、このようなマルチメディアシステムにおける電力状態制御機構及びシステムを提供することである。
【０００７】
他の課題は、マルチメディアシステムの電力制御を実現する通信プロトコルを提供することである。
【課題を解決するための手段】
【０００８】
本発明の一特徴によると、本発明は、マルチメディアシステムにおいて電力状態を検出及び制御する方法であって、前記システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、前記送信モジュールは、前記マルチメディアソースの電力状態と異なる電力状態を有することが可能であり、当該方法は、
前記コネクタボックスにおいて、
前記マルチメディアソースの電力状態を決定するステップと、
前記送信モジュールの電力状態を前記マルチメディアソースについて決定されたものと同一の電力状態にスイッチするステップと、
前記マルチメディアソースの現在の電力状態を示す情報を前記受信モジュールに提供するステップと、
前記マルチメディアデバイスにおいて、
前記受信モジュールの電力状態を前記マルチメディアソースについて決定されたものと同一の電力状態にスイッチするステップと、
を有する方法に関する。
【０００９】
一実施例では、前記受信モジュールは、前記マルチメディアシンクの電力状態と異なる電力状態を有することが可能であり、本方法はさらに、前記マルチメディアデバイスにおいて、
前記マルチメディアシンクの電力状態を決定するステップと、
前記受信モジュールの電力状態を前記マルチメディアシンクについて決定されたものと同一の電力状態にスイッチするステップと、
前記マルチメディアシンクの現在の電力状態を示す情報を前記送信モジュールに提供するステップと、
前記コネクタボックスにおいて、
前記送信モジュールの電力状態を前記マルチメディアシンクについて決定されたものと同一の電力状態にスイッチするステップと、
をさらに有する。
【００１０】
従って、マルチメディアシステムに構成される各デバイスの電力状態を監視することが可能となる。それに基づき、送信及び受信モジュールの電力状態が電源の電力状態に調整される。すなわち、送信モジュールと受信モジュールの電力状態が電源の同一の電力状態に従うため、マルチメディアシステムにおいて整合的な電力動作が実現される。このため、電源の電力状態が、例えば、低電力のスタンバイモード（ＳＴＢ）にあると判断された場合、送信及び受信モジュールの電力状態は、低電力ＳＴＢモードにスイッチされる（それが異なる電力状態にあった場合）。この結果、システムにおける電力消費を最小限に抑えられ、同時にマルチメディアシステムの電力動作が調整される。以下において、ソースという用語は、Ａ／Ｖデータを送信するマルチメディアコネクタボックスの一部を表し、シンクという用語は、Ａ／Ｖデータを受信し、テレビ画面、モニタ、スピーカーなどのユーザに提供するマルチメディアデバイスの一部を表す。本特許出願において、電源という用語は、マルチメディアシステムのマルチメディアソース及びシンクを表す。
【００１１】
一実施例では、前記マルチメディアソースの現在の電力状態を示す情報を前記受信モジュールに提供するステップは、前記マルチメディアソースの現在の電力状態を示すデータを前記受信モジュールに送信する。他の実施例では、前記マルチメディアソースの現在の電力状態を示す情報を前記受信モジュールに提供するステップは、前記送信モジュール又は前記マルチメディアソースにおける信号動作に基づき、前記受信モジュールは、前記信号動作を自動検出し、前記信号動作に基づき前記送信モジュールの現在の電力状態を決定するよう構成される。このようにして、モジュールは電源の現在の電力状態について効果的な方法により通知されうる。
【００１２】
一実施例では、前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する。
【００１３】
一実施例では、前記電力状態を決定するステップは、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ラインの何れかにおいて前記信号動作を検出する。一実施例では、前記検出された信号動作が所定の期間において動作が検出されなかったことを示す場合、電源の電力状態はスタンバイ状態（ＳＴＢ）又はオフ状態（ＯＦＦ）であると決定され、そうでない場合、前記電源の電力状態はオン状態（ＯＮ）であると決定される。このようにして、電源の現在の電力状態を示す極めて明確な指標が取得される。これにより、ある期間ｔの間に動作が検出されなかった場合、送信及び受信モジュールは、ＯＮ状態（これが現在の状態であると仮定する）からＳＴＢ又はＯＦＦ状態にスイッチされ、動作が検出された場合、送信及び受信モジュールはＯＮ状態にスイッチされる。
【００１４】
他の特徴では、本発明は、上記方法の各ステップを処理ユニットが実行することを可能にする命令を格納するコンピュータ可読媒体に関する。
【００１５】
さらなる他の特徴では、本発明は、送信モジュールに相互接続されるマルチメディアソースを有するマルチメディアコネクタボックスと、マルチメディアシンクに相互接続される受信モジュールを有するマルチメディアデバイスとを有するマルチメディアシステムの電力制御を実現するよう構成される通信プロトコルであって、前記送信モジュールと前記受信モジュールとは、マルチメディアインタフェース手段を介しやりとりし、前記送信モジュールは、前記マルチメディアソースの電力状態と異なる電力状態を有することが可能であり、前記受信モジュールは、前記マルチメディアシンクの電力状態と異なる電力状態を有することが可能であり、前記マルチメディアソースの現在の電力状態を示す情報が前記受信モジュールに提供され、又は、前記マルチメディアシンクの現在の電力状態を示す情報が前記送信モジュールに提供され、前記情報は、前記システムの電力モードを調整するのに使用される通信プロトコルに関する。一実施例では、インタフェース媒体は、有線接続、光接続又は無線接続を有する。
【００１６】
一実施例では、通信プロトコルにおいて提供される前記情報は、光又は無線媒体を介し＋５Ｖ信号の状態とＨＰＤ信号の状態とを送信することによって提供される。
【００１７】
さらなる他の特徴では、本発明は、マルチメディアシステムにおいて電力状態を検出及び制御するよう構成されるシステムであって、当該システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、前記送信モジュールは、前記マルチメディアソースの電力状態と異なる電力状態を有することが可能であり、前記受信モジュールは、前記マルチメディアシンクの電力状態と異なる電力状態を有することが可能であり、当該システムは、
前記コネクタボックスにおいて、
前記マルチメディアソースの電力状態を決定するよう構成される電力検出手段と、
前記送信モジュールの電力状態を前記マルチメディアソースについて決定されたものと同一の電力状態にスイッチするよう構成されるスイッチ機構と、
を有し、前記マルチメディアソースの現在の電力状態を示す情報は、前記受信モジュールに提供され、
前記マルチメディアデバイスにおいて、
前記受信モジュールの電力状態を前記マルチメディアソースについて決定されたものと同一の電力状態にスイッチするよう構成されるスイッチ機構と、
を有するシステムに関する。
【００１８】
一実施例では、前記マルチメディアインタフェース手段は、ＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）又はデジタル未圧縮ビデオオーディオインタフェース手段を有する。
【００１９】
一実施例では、前記送信モジュールと前記受信モジュールとは、光学的又は無線により接続される。
【００２０】
一実施例では、本システムは、コネクタボックス及びディスプレイに実装され、前記マルチメディアインタフェース手段並びに前記送信モジュール及び前記受信モジュールから独立したスタンバイ機構をさらに有し、前記コネクタボックス又は前記ディスプレイは、マスタとしての役割を担い、前記マスタは、所定の通信プロトコルを介し所定のハンドシェイク機構を利用することによって、スレーブをスタンバイ状態にする。
【００２１】
一実施例では、前記コネクタボックスは、マスタとして機能し、前記マルチメディアデバイスは、スレーブとして機能する。
【００２２】
一実施例では、スタンバイモードに移行し戻るため、ハンドシェイクが利用される。例えば、ＣＥＣ（Ｃｏｎｓｕｍｅｒ  Ｅｌｅｃｔｒｏｎｉｃｓ  Ｃｏｎｔｒｏｌ）ハンドシェイクが、スタンバイモードに移行し戻るのに利用可能である。
【００２３】
さらなる他の特徴では、本発明は、マルチメディアシステムにおいて電力状態を制御するため、前記マルチメディアシステムに実装されるよう構成される機構であって、
前記システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、前記送信モジュールは、前記マルチメディアソースの電力状態と異なる電力状態を有することが可能であり、前記受信モジュールは、前記マルチメディアシンクの電力状態と異なる電力状態を有することが可能であり、当該機構は、
前記マルチメディアソース又はシンクの電力状態を検出するよう構成される電力検出手段と、
前記送信モジュール又は前記受信モジュールの電力状態を前記マルチメディアソース又はシンクについて検出されたものと同一の電力状態にスイッチするよう構成される電力スイッチ機構と、
を有する機構に関する。
【００２４】
一実施例では、当該機構は、前記マルチメディアインタフェース手段を介し＋５Ｖ信号の状態とＨＰＤ（Ｈｏｔ−Ｐｌｕｇ−Ｄｅｔｅｃｔ）信号の状態とを送信するようさらに構成される。
【００２５】
さらなる他の特徴では、本発明は、マルチメディアシステムにおいて電力状態を制御するため、前記マルチメディアシステムに実装されるよう構成される機構において実行される方法であって、前記システムは、送信モジュールに相互接続されるマルチメディアソースを有するマルチメディアコネクタボックスと、マルチメディアシンクに相互接続される受信モジュールを有するマルチメディアデバイスとを有し、前記送信モジュールと前記受信モジュールとは、マルチメディアインタフェース手段を介しやりとりし、前記送信モジュールは、前記マルチメディアソースの電力状態と異なる電力状態を有することが可能であり、前記受信モジュールは、前記マルチメディアシンクの電力状態と異なる電力状態を有することが可能であり、当該方法は、
前記マルチメディアソース又はシンクの電力状態を検出するステップと、
前記送信モジュール又は前記受信モジュールの電力状態を前記マルチメディアソース又はシンクについて検出されたものと同一の電力状態にスイッチするステップと、
を有する方法に関する。
【００２６】
本発明の各特徴は、その他の特徴の何れかと組み合わせ可能である。本発明の上記及び他の特徴は、以降に記載される実施例を参照して明らかにされる。
【発明を実施するための最良の形態】
【００２７】
図１は、本発明による送信モジュール（ＴＸ）に相互接続されるマルチメディアソースを有するマルチメディアコネクタボックスと、マルチメディアシンクに相互接続される受信モジュール（ＲＸ）を有するマルチメディアデバイスとを有するマルチメディアシステムにおいて電力状態を制御する方法であって、ＴＸとＲＸは、光又は無線ベースＨＤＭＩ（Ｈｉｇｈ−Ｄｅｆｉｎｉｔｉｏｎ−Ｍｕｌｔｉｍｅｄｉａ−Ｉｎｔｅｒｆａｃｅ）接続などのマルチメディアインタフェース手段を介しやりとりする方法を示す。このようなマルチメディアシステムは、セットトップボックス、ＤＶＤプレーヤー、Ａ／Ｖ受信機などの互換性のあるデジタルオーディオ／ビデオソースと、デジタルテレビなどの互換性のあるデジタルオーディオ及び／又はビデオモニタとから構成することができる。
【００２８】
好適な実施例では、ＴＸ及びＲＸはソース及びシンクを介し電力供給されるが、外部ＡＣ／ＤＣがまた電源として利用可能である。
【００２９】
図１のフローチャートを参照するに、ステップ（Ｓ１）〜（Ｓ４）はコネクタボックス側に適用され、ステップ（Ｓ５）はマルチメディアデバイス側に適用される。しかしながら、これはもちろん、ステップ（Ｓ１）〜（Ｓ４）がマルチメディアデバイス側に適用され、ステップ（Ｓ５）がコネクタボックス側に適用されるように逆にすることもできる。
【００３０】
第１ステップでは、マルチメディアソースの電力状態が、例えば、マルチメディアソースと送信モジュールとの間の信号動作を検出することによって、決定される（Ｓ１，１０１）。信号動作は、例えば、ＨＤＭＩ  ＴＭＤＳ（Ｈｉｇｈ−Ｄｅｆｉｎｉｔｉｏｎ−Ｍｕｌｔｉｍｅｄｉａ−Ｉｎｔｅｒｆａｃｅ  Ｔｒａｎｓｉｔｉｏｎ−Ｍｉｎｉｍｉｚｅｄ−Ｄｉｆｆｅｒｅｎｔｉａｌ−Ｓｉｇｎａｌｉｎｇ）ライン、クロックライン又はＣＥＣ（Ｃｏｎｓｕｍｅｒ  Ｅｌｅｃｔｒｏｎｉｃｓ  Ｃｏｎｔｒｏｌ）ライン上で検出されるかもしれない。検出された電力状態に基づき、送信モジュールの電力状態はマルチメディアソースに対して検出されたものと同一の電力状態にスイッチされる（Ｓ２，１０３）。その後、マルチメディアソースの現在の電力状態を示す情報が、受信モジュールに提供される必要がある（Ｓ３，１０５）。この情報を提供するステップ（Ｓ３，１０５）は、一実施例では、マルチメディアソースの現在の電力状態を示すデータを受信モジュールに送信することを含む。他の実施例では、提供された情報は、送信モジュール又はマルチメディアソースにおける信号動作に基づくものであり、受信モジュールは、信号動作を自動検出するよう構成され、それに基づき送信モジュールの現在の電力状態が決定される。
【００３１】
この情報に基づき（Ｓ４，１０７）、受信モジュールの電力状態が、マルチメディアソースについて決定されたものと同一の電力状態にスイッチされる（それが同一の電力状態にない場合）。
【００３２】
図２は、本発明による機構２００ａ及び２００ｂを有するシステム２２０の実施例を示す。これらの機構は、送信モジュール（ＴＸ）２０４に相互接続されるマルチメディアソース（ＳＯ）２０３を有するマルチメディアコネクタボックス２０１と、マルチメディアシンク（ＳＩ）２０６に相互接続される受信モジュール（ＲＸ）２０５を有するマルチメディアデバイス２０２とを有するマルチメディアシステムにおいて電力状態を検出及び制御するよう構成され、ＴＸとＲＸはマルチメディアインタフェース手段２１０を介しやりとりする。マルチメディアインタフェース手段２１０は、有線若しくは無線接続又は光リンクなどを有する可能性がある。本実施例では、ＴＸモジュールとＲＸモジュールに統合されている機構２００ａ及び２００ｂは、本実施例では信号検出手段２０７ａ及び２０７ｂである電力検出手段（２０７ａ）と、電力スイッチ機構２０８ａ及び２０８ｂを有する。信号検出手段２０７ａ及び２０７ｂはそれぞれ、ＴＸ２０４とマルチメディアシンク（ＳＩ）２０６との間とＲＸ２０５とマルチメディアシンク（ＳＩ）２０６との間の信号動作２０９ａを検出する。検出された信号動作２０９ａ及び２０９ｂは、本ケースではマルチメディアシンク（ＳＩ）２０６とマルチメディアシンク（ＳＩ）２０６である、マルチメディアシステムの電源の現在の電力状態を決定するのに使用される。電力スイッチ機構（Ｓ＿Ｍ）２０８ａ及び２０８ｂは、ＴＸ２０４とＲＸ２０５の電力状態を電源について決定されたものと同一の電力状態にスイッチし、すなわち、マルチメディアシンク（ＳＩ）２０６とマルチメディアシンク（ＳＩ）２０６と同一の電力状態にスイッチするよう構成される。ある電力状態から他の電力状態への電力状態のスイッチの各種シナリオが、以降において詳細に説明される。
【００３３】
図３は、図２のマルチメディアシステム２１０のための一例となるセットアップを概略的に示す。本例では、マルチメディアシステム２１０は、ＨＤＭＩベース接続を利用したＥ−Ｂｏｘ  ３０１ａ〜３０１ｃ／ディスプレイ３００ａ〜３００ｃの組み合わせを有する。図３ａは、標準的な物理的銅線接続などの標準的なＨＤＭＩケーブル３０１ａが使用されるシナリオを示し、図３ｂは、光リンク３０１ｂとして示される光双方向ＴＸ／ｒｘモジュール、光ファイバ及び光双方向ＲＸ／ｔｘモジュールが実装されるケースを示し、図３ｃは、無線リンク３０１ｃとして示される無線ＴＸ／ｒｘモジュールと無線ＲＸ／ｔｘモジュールから構成されるセットアップを示す。
【００３４】
上述されるように、ビデオ及びオーディオデータの送信部はソースと呼ばれ、受信部はシンクと呼ばれる。ソースを介したシンクの制御又はシンクを介したソースの制御は、典型的には、ＨＤＭＩ規格によるオプションであるＣＥＣ（Ｃｏｎｓｕｍｅｒ  Ｅｌｅｃｔｒｏｎｉｃｓ  Ｃｏｎｔｒｏｌ）チャネルを介し実行される。第２及び第３セットアップでは、リンクはＨＤＭＩケーブルにおいて利用可能なすべての信号について透過であるとは限らないため、特別な措置がとられる必要がある。図４は、このようなＥｂｏｘ（Ｅ−Ｂ）４０１／ディスプレイ（Ｄｉｓｐ）４０２のより詳細な概略図を示す。
【００３５】
以下において、光及び無線双方向ＴＸ及びＲＸモジュールは、ＴＸ／ｒｘ及びＲＸ／ｔｘと呼ばれることもある。ソースに接続されているモジュールのメイン機能は送信モードであり、シンクに接続されているモジュールのメイン機能は受信モードであるが、２つのモジュールは、好ましくは、送受信モジュール、すなわち、送信機能と受信機能の両方を有するためである。ＴＸは順方向において最も高いスループットを有し、ＲＸは逆方向において最も高いスループットを有する。それをＴＸ及びＲＸモジュールと呼ぶ理由は、フォワード又は順方向リンクについて要求される帯域幅が、バックワード又は逆方向リンクについて要求される帯域幅よりはるかに大きいという事実のためである。順方向リンクは、ビデオ、オーディオ及びコントロールデータを転送するのに使用され、逆方向リンクは、コントロールデータを転送するためしか使用されない。
【００３６】
Ｅ−Ｂｏｘ（Ｅ−Ｂ）４０１などのコネクタボックスとディスプレイ（Ｄｉｓｐ）との間にアクティブなＴＸ４０３とＲＸ４０４を設けることは、電力動作をより複雑なものにする。これは、モジュール４０３及び４０４が各自の電力状態を有する可能性が高く、他方の装置を完全に透過に観察できない可能性があるためである（物理ケーブルを使用する際に与えられるように）。これは、整合的な電力状態動作を実現するため、ＴＸ及びＲＸに追加的な要求を課すことになる。また、ＲＣ受信に接続されるＣＥＣコマンドを介した電力状態制御は、何れの規格にも規定されていない。
【００３７】
実施例では、本発明は、Ｅ−Ｂｏｘ（コネクタボックス）３０１ａ〜３０１ｃ及びディスプレイ３００ａ〜３００ｃと共に、ＴＸ及びＲＸモジュール４０３、２０４、４０４、２０５におけるソフトウェア制御を実現することに基づいている。図４に示される実施例では、ディスプレイ（Ｄｉｓｐ）４０２はまた、ＲＣ復号化及び電力制御のためのコントローラを有する。
【００３８】
本発明は、効果的には、薄型ディスプレイを有し、さらにＥ−Ｂｏｘとディスプレイとの間に高品質なビデオリンク及びオーディオを有することが重要となるフラットテレビ製品において適用可能である。
【００３９】
一般に、光又は無線ＴＸ及びＲＸ４０３、２０４、４０４、２０５が、外部ＡＣ／ＤＣコンバータを介し、又はソース及びシンク２０３、２０６を介し電力供給される。電力がソース及びシンク２０３、２０６を介し供給される場合、光３０１ｂ及び無線３０１ｃＴＸモジュール２０４、４０３及びＲＸモジュール２０５、４０４が、ソース装置及びシンク装置がスイッチオフされるのと同時にスイッチオフされる。ＯＦＦ状態の次に、システムはＳＴＢ及びＯＮ状態を有する。ＳＴＢでは、システムは低電力モードとなり、当該モードではビデオ及びオーディオは転送されないため、低消費となる。ＯＮ状態では、ソース、シンク及びリンクの各モジュールはアクティブ状態となる。典型的には、ソース及びシンクの前の状態がＳＴＢであるときに限って、ＯＮ状態に移行可能である。ＯＦＦスイッチを介し又はコンセントからプラグを抜くことを介し、ＯＦＦ状態に移行可能である。ソース及びシンク２０３のデフォルト状態はＳＴＢである。ＴＸ及びＲＸリンクモジュール４０３、２０４、４０４、２０５はまた、同様に規定されているＳＴＢ及びＯＮ状態を有している。ＴＸ及びＲＸリンクモジュールは、ＣＥＣ動作又はオーディオ及びビデオ動作によって、ＳＴＢ状態からウェークアップ可能である必要がある。すなわち、それらはＨＤＭＩ  ＴＭＤＳライン又はクロックライン及びＣＥＣライン上での動作を検出する必要がある。図２に示されるスイッチ機構（Ｓ＿Ｍ）２０８は、図２に示される信号検出手段（Ｓ＿Ｄ）２０７により検出された動作に基づき、ＯＮ状態からＳＴＢ状態にＴＸ及びＲＸリンクモジュール２０４、２０５、４０３、４０４を移行する必要がある。監視されているラインの何れかにおける非アクティブ状態の期間の後、ＴＸ及びＲＸリンクモジュールは、ＯＮ状態からＳＴＢ状態にスイッチすべきである。ＳＴＢでは、ＴＸ及びＲＸリンクモジュール４０３、２０４、４０４、２０５は、一実施例では、リンクは低電力消費モードにより動作するが、＋５Ｖ信号及びＨＰＤ（Ｈｏｔ  Ｐｌｕｇ  Ｄｅｔｅｃｔ）信号を保持することができるべきである。この要求を実現するための以下に与えられる少なくとも２つのアプローチがある。第１アプローチは、ＴＸ及びＲＸリンクモジュール４０３、２０４、４０４、２０５の間の双方向低速／低電力なセカンダリリンクを維持し、高速一方向のプライマリリンクをＯＦＦにスイッチするものである。第２アプローチは、双方向セカンダリリンクを備えていないが、一方向の順方向リンクと一方向の（おそらく低速の）逆方向リンクのみを有するＴＸ及びＲＸリンクモジュール４０３、２０４、４０４、２０５に適用される。この状況では、＋５Ｖ及びＨＰＤ信号の実際の状態が頻繁にリンクを介し送信されるとき、＋５Ｖ信号及びＨＰＤ信号を保持することが可能である。これは、時間の関数としての電力消費を示す図５に概略的に示される。このため、ＳＴＢでは、＋５Ｖ及びＨＰＤラインの状態を介し送信を可能にするため、順方向リンクと逆方向リンクが頻繁にスイッチＯＮされるが、順方向リンクと逆方向リンクがスイッチＯＦＦされる。ＯＮとＯＦＦの切替の間の時間は、システムが対称的に動作するのに十分短いものであるべきであると共に、ＴＸ及びＲＸリンクモジュールのＳＴＢ電力消費を可能な限り小さく維持するのに十分長いものであるべきである。ＨＰＤ信号がアサート解除されるときは常に、ソースはＳＴＢとなる。シンクがＯＦＦにスイッチされるとき、ＲＸリンクモジュールがシンクから切断されるとき、又はＴＸリンクモジュールがソースから接続されるとき、ＨＰＤ信号はアサート解除される。
【００４０】
＋５Ｖ信号がアサート解除されるときは常に、シンクはＳＴＢに移行する。シンクがＯＦＦにスイッチされるとき、ＴＸリンクモジュールがシンクから切断されるとき、又はＲＸリンクモジュールがシンクから切断されるとき、＋５Ｖ信号はアサート解除される。
【００４１】
＋５Ｖ及びＨＰＤ信号は、ソース又はシンクをＳＴＢからＯＮ状態にスイッチしない。これは、ＨＤＭＩ規格とコンフリクトするため、実行することができない。ソース、シンク、ＴＸリンクモジュール及びＲＸリンクモジュールをＳＴＢに有するシステムのＳＴＢでは、＋５Ｖ信号とＨＰＤ信号のレベルは維持される必要がある。
【００４２】
システムをＳＴＢからＯＮにスイッチすることは、ソース又はシンク上でのローカルキーパッド又はアウェーカブル（ａｗａｋｅａｂｌｅ）ＲＣコマンドを介してのみ実行可能である。ＲＣ  ＲＸは、ソース又はシンク上に配設可能であるが、好ましくは、シンク上に配設される。以下において、テレビ分離アーキテクチャシステムのケースに対応して、ＲＣ  ＲＸはシンクに配設される。上記構成は一例であり、システムをＳＴＢからＯＮ状態にスイッチするための他の機構を規定することができる。
【００４３】
図６は、テレビプラットフォーム（ＴＶ＿Ｐ）６０４及びインタフェースプラットフォーム（ＩＦ＿Ｐ）６０２を有するコネクタボックス６０１と、コネクタボックスに相互接続される送信モジュール（ＴＸ／ｒｘ）６０３と、受信モジュール（Ｒｘ／Ｔｘ）６０８に相互接続され、ディスプレイプラットフォーム（ＤＰ＿Ｐ）６０６及びモニタプラットフォーム（Ｍ＿Ｐ）６０７を有するモニタ６０５とを示すマルチメディアシステム６００の一例を示す。通常、テレビプラットフォーム６０４は、ディスプレイに設けられるが、ここではコネクタボックス６０４に配設される。コネクタからモニタ６０５への唯一の接続は、上述されるように、プレインなＨＤＭＩケーブル、光リンク又は無線リンクとすることができるＨＤＭＩベースリンク６０８である。すべての外部接続はコネクタボックス６０１になされ、コネクタボックス６０１の内部で処理される。他方の側では、コネクタボックスは固定されたビデオ及びオーディオフォーマットを出力する。このフォーマットは、ディスプレイ６０６に提供される前に最終的なバックエンド処理がなされ、最終的なスケーリングステップをこれの一部とすることができる。実施例では、主に無線リンクが当該時点ではより高い解像度をサポートしていない可能性があるため、固定されたビデオフォーマットは、１２８０×７２０ｐ＠６０Ｈｚとなるよう選択される。１９２０×１０８０ｐ＠６０Ｈｚへの最終的なスケーリングは、ディスプレイにおいて実行される。
【００４４】
次に、上述されたものと異なる電力状態及びスタートアップ動作が、図７〜８及び１０〜１６に示されるフロー図に基づきより詳細に説明される。以下に示されるテーブル１において、説明される各種シナリオが記載される。
【００４５】
【表１】
2009506615.tif 000023
図７は、テーブル１のシナリオ１のケースにおけるコネクタボックス（Ｃ＿Ｂ）７０１に構成されるソース（Ｓｏ）、モニタ（Ｍ）７０２に構成されるシンク（Ｓｉ）、並びにＴＸ７０４及びＲＸ７０５のリンクモジュールの状態変化を示すフロー図を示す。このフロー図は、シンクがＯＮ電力状態からＯＦＦ電力状態にスイッチされるシナリオを示す。
【００４６】
シンクと同時に、ＲＸリンクモジュール７０５はＯＦＦされることに留意することが重要である。この場合、ＲＸモジュールはシンクを介し電力供給される。ＲＸモジュールが外部ＡＣ／ＤＣアダプタを介し電力供給される場合、モジュールはＯＦＦ状態に移行する代わりに、ＳＴＢ状態に移行する。一定時間後、ＴＸリンクモジュール７０４がＨＰＤ信号がないことを検出し、ソースへのそれのＨＰＤ信号をアサート解除し、その後にソースはＳＴＢにスイッチすることができる。ＴＸリンクモジュールは、オーディオ／ビデオ及びＣＥＣ動作がない場合、所与の時間にＳＴＢにスイッチすべきである。それは、定期的に＋５Ｖ状態をＲＸリンクモジュールに送信しようと試みるべきである。この場合、ＲＸリンクモジュールは、ＯＦＦにされているため応答することはない。
【００４７】
図８は、テーブル１のシナリオ２のケースにおけるソース、シンク並びにＴＸ及びＲＸリンクモジュールの状態変化を示す他のフロー図を示す。モニタがアクティブ化されている場合、デフォルト状態はＳＴＢである。このフロー図は、ソースがＳＴＢ電力状態にあるとき、シンクがＯＦＦ電力状態からＳＴＢ電力状態にスイッチされるシナリオを示している。上述したように、ＴＸリンクモジュール７０４は、図９ａに示されるように、＋５Ｖ状態を規則的に送信し続ける。ＲＸリンクモジュール７０５は、＋５Ｖ信号を検出することができ、これによりソース及びＴＸリンクモジュール７０４の利用可能性を検出することができるように、初期的にはＳＴＢ又はＯＮにある。＋５Ｖ状態を受信すると、それをシンクに転送する。シンクはＨＰＤ信号をアサートし、ＲＸリンクモジュールは、ＨＰＤ信号の状態をＴＸリンクモジュールに送信する。それは、ＳＴＢモードに留まるか、又はＯＮ状態にスイッチし、すぐにＳＴＢ状態に戻ることによりこれを実行する。ＴＸリンクモジュール及びＲＸリンクモジュールは、規則的に＋５Ｖ信号ＨＰＤ信号を互いに送信する。ＴＸリンクモジュール７０４とＲＸリンクモジュール７０５は、低電力のＳＴＢ状態において＋５Ｖ又はＨＰＤ状態を受信することが可能であるが、＋５Ｖ及びＨＰＤ状態を送信するようＯＮされる必要があるかもしれないということが仮定される。ＴＸ及びＲＸリンクモジュールが低電力ＳＴＢ状態において＋５Ｖ又はＨＰＤ状態を受信することができない場合、ＴＸ及びＲＸリンクモジュールは、ＳＴＢ状態に戻る前にこれらの信号の可能性のある到来を聴取するため（図９ｂを参照）、規則的にＯＮにスイッチされる。図９ｂに示される聴取期間は、少なくとも２つの状態通信間の期間と同程度の長さであるべきである。ＴＸ及びＲＸモジュールが時間に関して正確に同期している場合、聴取期間は図９ａと同程度まで短縮することが可能である。
【００４８】
図１０は、テーブル１のシナリオ３のケースにおけるソース、シンク並びにＴＸ７０４及びＲＸ７０５リンクモジュールの状態変更のフロー図を示す。このフロー図は、ソースがＯＦＦにあるとき、シンクがＯＦＦ電力状態からＳＴＢ電力状態にスイッチされるシナリオを示す。
【００４９】
システム全体がＯＦＦ状態にあり、シンクがアクティブ化された場合、それはデフォルトによりＳＴＢに移行する。同様のことが、ＲＸリンクモジュール７０５に適用される。ＲＸリンクモジュールがＳＴＢにあるときに聴取不可である場合、ＲＸリンクモジュール７０５は、可能性のある状態通信を聴取するため、ＯＮ状態に規則的に移行すべきである。
【００５０】
図１１は、テーブル１のシナリオ４のケースにおけるソース、シンク並びにＴＸ７０４及びＲＸ７０５リンクモジュールの状態変更のフロー図を示す。このフロー図は、ソースがＯＮ電力状態からＯＦＦ電力状態にスイッチされるシナリオを示す。この場合、ＴＸモジュールは、ソースデバイスを介し電力供給されているとき、ソースデバイスと同時にＯＦＦにスイッチされる。ＴＸモジュールが外部のＡＣ／ＤＣアダプタを介し電力供給されているとき、ＴＸモジュールはＳＴＢにスイッチする。
【００５１】
システム全体がＯＮ状態にあり、ソース（コネクタボックス（Ｃ＿Ｂ）７０１）がＯＦＦにスイッチされる場合、＋５Ｖ状態はもはやＲＸリンクモジュールには送信されない。＋５Ｖ信号の検出がなくなると、ＲＸリンクモジュールはシンクに対するそれの＋５Ｖ信号をアサート解除し、シンクはそれのＨＰＤ信号をアサート解除する。
【００５２】
図１２は、テーブル１のシナリオ５のケースにおけるソース、シンク並びにＴＸ７０４及びＲＸ７０５リンクモジュールの状態変更のフロー図を示す。このフロー図は、シンクがＳＴＢ電力状態にあるとき、ソースがＯＦＦ電力状態からＳＴＢ電力状態にスイッチされるシナリオを示す。
【００５３】
シンクがＳＴＢ状態にあり、ソースがＯＦＦ状態にあって、アクティブ化された場合、それはデフォルトにＳＴＢ状態に移行する。ＴＸリンクモジュール７０４は、＋５Ｖ信号をアサートし、＋５Ｖ信号の状態をＲＸリンクモジュール７０５に転送する。ＲＸリンクモジュール７０５は、シンクに対する＋５Ｖ信号をアサートする。シンクはそれのＨＰＤラインをアサートし、ＲＸリンクモジュール７０５は、ＨＤＰラインの状態をＴＸリンクモジュール７０４に転送する。ＴＸリンクモジュール７０４は、ソースに対するＨＰＤラインをアサートする。ＴＸ７０４及びＲＸ７０５のリンクモジュールは、それらのキャパシティに依存して、上述されたものと同じ機構の１つを利用する。
【００５４】
図１３は、テーブル１のシナリオ６のケースにおけるソース、シンク並びにＴＸ７０４及びＲＸ７０５リンクモジュールの状態変更のフロー図を示す。このフロー図は、シンクがＯＦＦ電力状態にあるとき、ＯＦＦ電力状態からＳＴＢ電力状態にスイッチされるシナリオを示す。
【００５５】
ソースとシンクがＯＦＦ状態にあって、ソースがアクティブ化された場合、それはデフォルトにＳＴＢ状態に移行する。ソースはそれの＋５Ｖラインをアサートし、ＴＸリンクモジュール７０４は、＋５Ｖ信号の状態をＲＸリンクモジュールに送信する。ＲＸリンクモジュール７０５はＯＦＦ状態にあるため、当該状態を受信できず、ＨＰＤ状態を送信しない。
【００５６】
図１４は、テーブル１のシナリオ７のケースにおけるソース、シンク並びにＴＸ７０４及びＲＸ７０５リンクモジュールの状態変更のフロー図を示す。
【００５７】
システム全体がＳＴＢにあり、ＲＣアウェーカブル又はローカルキーコマンドが受信される場合、シンクはベンダーに固有のリモートコントロールＣＥＣメッセージに含まれるＲＣコマンドをソースに送信する。ＲＸリンクモジュール７０５は、ＣＥＣ動作によってアクティブ化され、ＣＥＣメッセージをＴＸリンクモジュール７０４に送信する。ＴＸリンクモジュールは、ＣＥＣ動作によりアクティブ化され、ＣＥＣメッセージをソースに転送する。ソースは、ＣＥＣメッセージを受信し、ＲＣコマンドを解釈し、ウェークアップする。それは、“画像表示ＯＮ”メッセージ又はシンクをＳＴＢからＯＮにスイッチするよう規定された他のメッセージをシンクに送信し、シンクは、このメッセージを受信することによりウェークアップする。この時点で、構成全体がＯＮにスイッチされ、オーディオ／ビデオがＨＤＭＩにより図示されるように、リンクを介し送信可能となる。
【００５８】
図１５は、テーブル１のシナリオ８のケースにおけるソース、シンク並びにＴＸ７０４及びＲＸ７０５リンクモジュールの状態変更のフロー図を示す。
【００５９】
システム全体がＯＮ状態にあり、ＳＴＢ  ＲＣコマンドがシンクにより受信されると、シンクはＲＣメッセージをベンダー固有のリモートコントロールＣＥＣメッセージに含めてソースに転送する。ＣＥＣメッセージは、ソースにより受信され、ソースにより解釈される。ソースは、ＳＴＢにスイッチし、シンクをＳＴＢにスイッチするため、ＣＥＣシステムスタンバイコマンドをシンクに送信する。ソース及びシンクをＳＴＢにスイッチした後、ＴＸ及びＲＸリンクモジュールは、ＣＥＣ又はオーディオ／ビデオ動作なしに一定時間後にＳＴＢにスイッチする。ソース、シンク並びにＴＸ及びＲＸリンクモジュールは、＋５Ｖ信号及びＨＰＤ信号を通信し続ける。
【００６０】
図１６は、テーブル１のシナリオ９のケースにおけるソース、シンク並びにＴＸ７０４及びＲＸ７０５リンクモジュールの状態変更のフロー図を示す。
【００６１】
システム全体がＳＴＢにあって、シンクがアウェーカブルＲＣコマンドのリストにはないＲＣコマンドを受信した場合、それはベンダー固有のリモートコントロールＣＥＣメッセージに埋め込まれたＲＣコマンドをソースに送信する。ＣＥＣ動作を検出すると、ＲＸ７０５及びＴＸ７０４のリンクモジュールは、ＯＮにスイッチし、ＣＥＣメッセージを転送する。ソースは、ＣＥＣメッセージ埋め込まれたＲＣコマンドを解釈し、それがアウェーカブルＲＣコマンドでないことを検出し、ＳＴＢ状態に留まる。ＴＸ及びＲＸリンクモジュールは、ＣＥＣ又はオーディオ／ビデオ動作なしに一定時間後にＳＴＢ状態に戻る。
【００６２】
本発明の明確かつ完全な理解を提供するため、開示された実施例の具体的詳細が限定のためでなく説明のために提供された。しかしながら、本発明が、本開示の趣旨及び範囲から大きく逸脱することなく、ここに記載された詳細に正確に従っていない他の実施例においても実施可能であるということが、当業者により理解されるべきである。さらに、ここでの記載において、簡単化及び明確化のため、周知な装置、回路及び方法の詳細な説明は、不要な詳細及び可能性のある混乱を回避するため省略された。
【００６３】
請求項に参照符号が含まれているが、参照符号を含めることは、明確化のためだけであり、請求項の範囲を限定するものとして解釈されるべきでない。
【図面の簡単な説明】
【００６４】
【図１】図１は、本発明によるマルチメディアシステムにおいて電力状態を制御する方法の一実施例を示す。
【図２】図２は、マルチメディアシステムにおける電力状態を制御する電力制御システムを示す。
【図３】図３は、図２のマルチメディアシステムの一例の典型的なセットアップを示す。
【図４】図４は、Ｅｂｏｘ（Ｅ＿Ｂ）−ディスプレイ（Ｄｉｓｐ）の組み合わせの詳細な概略図を示す。
【図５】図５は、モジュールが低電力ＳＴＢモードにある場合、時間の関数としてのＴＸ及びＲＸモジュールの電力消費を示す。
【図６】図６は、マルチメディアシステムの実施例を示す。
【図７】図７は、ソース、シンク並びにＴＸ及びＲＸリンクの状態変更の各種シナリオを示すフロー図である。
【図８】図８は、ソース、シンク並びにＴＸ及びＲＸリンクの状態変更の各種シナリオを示すフロー図である。
【図９ａ】図９ａは、モジュールが低電力ＳＴＢモードにある場合、時間の関数としてのＴＸ及びＲＸモジュールの電力消費を示す。
【図９ｂ】図９ｂは、モジュールが低電力ＳＴＢモードにある場合、時間の関数としてのＴＸ及びＲＸモジュールの電力消費を示す。
【図１０】図１０は、ソース、シンク並びにＴＸ及びＲＸリンクの状態変更の各種シナリオを示す。
【図１１】図１１は、ソース、シンク並びにＴＸ及びＲＸリンクの状態変更の各種シナリオを示す。
【図１２】図１２は、ソース、シンク並びにＴＸ及びＲＸリンクの状態変更の各種シナリオを示す。
【図１３】図１３は、ソース、シンク並びにＴＸ及びＲＸリンクの状態変更の各種シナリオを示す。
【図１４】図１４は、ソース、シンク並びにＴＸ及びＲＸリンクの状態変更の各種シナリオを示す。
【図１５】図１５は、ソース、シンク並びにＴＸ及びＲＸリンクの状態変更の各種シナリオを示す。
【図１６】図１６は、ソース、シンク並びにＴＸ及びＲＸリンクの状態変更の各種シナリオを示す。
【国際調査報告】
2009506615.tif 000024
2009506615.tif 000025
2009506615.tif 000026